(57)【特許請求の範囲】
【請求項１】
ワイヤレスネットワークにおける拡張セル間干渉協調（ｅＩＣＩＣ）または多地点協調（ＣｏＭＰ）送信のうちの少なくとも１つのために構成されたユーザ機器（ＵＥ）によって実行される方法であって、前記方法は、
前記ｅＩＣＩＣまたは前記ＣｏＭＰ送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定することと、
前記第１のＣＳＩ報告セット内のＣＳＩ報告の衝突を検出することと、ここで、前記第１のＣＳＩ報告セットと前記第２のＣＳＩ報告セットとの各々が前記第１のＣＣについての複数のＣＳＩ報告タイプを含む、
前記第１のＣＳＩ報告セットの前記衝突するＣＳＩ報告のＣＳＩ報告タイプに少なくとも部分的に基づいて報告タイプ優先度付けを実行することと、
前記第１のＣＳＩ報告セットの第１の優先ＣＳＩ報告と前記第２のＣＳＩ報告セットの第２のＣＳＩ報告とに関するＣＳＩ報告のセット衝突があることを決定することと、
前記第１のＣＳＩ報告セットと前記第２のＣＳＩ報告セットとのセット優先度付けを実行することとを備え、
前記セット優先度付けのためのタイブレーカーは、前記セット衝突が異なるサブフレームについて別様に解決されるように前記異なるサブフレームについて変化する、方法。
【請求項２】
前記第１のＣＳＩ報告セットと前記第２のＣＳＩ報告セットとが、前記第１のＣＣについてのｅＩＣＩＣ測定値サブフレームのセットに対応するＣＳＩ報告を備える、請求項１に記載の方法。
【請求項３】
前記第１のＣＳＩ報告セットと前記第２のＣＳＩ報告セットとが前記ＣｏＭＰ送信についてのＣＳＩ報告を備える、請求項１に記載の方法。
【請求項４】
前記報告タイプ優先度付けが、
ランクインジケータ（ＲＩ）報告または広帯域プリコーディング行列インジケータ（ＰＭＩ）報告のうちの一方に対する第１の優先度と、
広帯域チャネル品質インジケータ（ＣＱＩ）報告またはＰＭＩ報告のうちの一方に対する第２の優先度と、
サブバンドＣＱＩ報告またはサブバンドＰＭＩ報告のうちの一方に対する第３の優先度とを備える、請求項１に記載の方法。
【請求項５】
前記セット優先度付けが、前記第１の優先ＣＳＩ報告と第２の優先ＣＳＩ報告との前記報告タイプ優先度付けに基づく、請求項１に記載の方法。
【請求項６】
第１のサブフレームにおける前記セット優先度付けのための前記タイブレーカーが、
最低セットインデックスを有するＣＳＩ報告セットに対する第１の優先度と、
次の最低セットインデックスを有する次のＣＳＩ報告セットに対する次の優先度とを備える、請求項１に記載の方法。
【請求項７】
前記セット優先度付けのための前記タイブレーカーは、前記第１のＣＳＩ報告セットと前記第２のＣＳＩ報告セットとからの前記衝突するＣＳＩ報告が同じセット優先度付けレベルを有するとき、前記第１のＣＳＩ報告セットと前記第２のＣＳＩ報告セットとのうちの一方が選好されるように、異なるサブフレームについて変化する、請求項１に記載の方法。
【請求項８】
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、請求項１に記載の方法。
【請求項９】
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、請求項１に記載の方法。
【請求項１０】
物理アップリンク制御チャネル（ＰＵＣＣＨ）フォーマット３を利用することによって、サブフレーム中で前記第１のＣＳＩ報告セットと前記第２のＣＳＩ報告セットとを送信することをさらに備える、請求項１に記載の方法。
【請求項１１】
並列物理アップリンク制御チャネル（ＰＵＣＣＨ）を利用することによって、サブフレーム中で前記第１のＣＳＩ報告セットと前記第２のＣＳＩ報告セットとを送信することをさらに備える、請求項１に記載の方法。
【請求項１２】
前記第１のＣＣと第２のＣＣとに関するＣＳＩ報告のマルチキャリア衝突があることを決定することと、
前記第１のＣＣと前記第２のＣＣとについてのＣＳＩ報告のマルチキャリア優先度付けを実行することとをさらに備える、請求項１に記載の方法。
【請求項１３】
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度とを備える、請求項１２に記載の方法。
【請求項１４】
前記マルチキャリア優先度付けが、前記第１のＣＣと前記第２のＣＣとの各々からの１つまたは複数の優先ＣＳＩ報告の前記報告タイプ優先度付けに基づく、請求項１２に記載の方法。
【請求項１５】
前記第１のＣＣと前記第２のＣＣとがキャリアアグリゲーション（ＣＡ）のために構成された、請求項１２に記載の方法。
【請求項１６】
セット優先度付けとマルチキャリア優先度付けとの後の最も優先度の高いＣＳＩ報告セットの第１の優先ＣＳＩ報告がサブフレーム中で送信され、より優先度の低いＣＳＩ報告セットとより優先度の低いＣＣとのいずれかの優先ＣＳＩ報告がドロップされる、請求項１２に記載の方法。
【請求項１７】
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、請求項１２に記載の方法。
【請求項１８】
物理アップリンク制御チャネル（ＰＵＣＣＨ）フォーマット３を利用することによって、サブフレーム中で１つまたは複数のＣＣの各々について、１つまたは複数のＣＳＩ報告セットについての１つまたは複数の優先ＣＳＩ報告を送信することをさらに備える、請求項１２に記載の方法。
【請求項１９】
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信することをさらに備える、請求項１２に記載の方法。
【請求項２０】
ワイヤレスネットワークにおける拡張セル間干渉協調（ｅＩＣＩＣ）または多地点協調（ＣｏＭＰ）送信のうちの少なくとも１つのために構成されたユーザ機器（ＵＥ）装置であって、前記装置は、
前記ｅＩＣＩＣまたは前記ＣｏＭＰ送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定するための手段と、
前記第１のＣＳＩ報告セット内のＣＳＩ報告の衝突を検出するための手段と、ここで、前記第１のＣＳＩ報告セットと前記第２のＣＳＩ報告セットとの各々が前記第１のＣＣについての複数のＣＳＩ報告タイプを含む、
前記第１のＣＳＩ報告セットの前記衝突するＣＳＩ報告のＣＳＩ報告タイプに少なくとも部分的に基づいて報告タイプ優先度付けを実行するための手段と、
前記第１のＣＳＩ報告セットの第１の優先ＣＳＩ報告と前記第２のＣＳＩ報告セットの第２のＣＳＩ報告とに関するＣＳＩ報告のセット衝突があることを決定するための手段と、
前記第１のＣＳＩ報告セットと前記第２のＣＳＩ報告セットとのセット優先度付けを実行するための手段とを備え、
前記セット優先度付けのためのタイブレーカーは、前記セット衝突が異なるサブフレームについて別様に解決されるように前記異なるサブフレームについて変化する、装置。
【請求項２１】
前記第１のＣＳＩ報告セットと前記第２のＣＳＩ報告セットとが、前記第１のＣＣについてのｅＩＣＩＣ測定値サブフレームのセットに対応するＣＳＩ報告を備える、請求項２０に記載の装置。
【請求項２２】
前記第１のＣＳＩ報告セットと前記第２のＣＳＩ報告セットとが前記ＣｏＭＰ送信についてのＣＳＩ報告を備える、請求項２０に記載の装置。
【請求項２３】
前記報告タイプ優先度付けが、
ランクインジケータ（ＲＩ）報告または広帯域プリコーディング行列インジケータ（ＰＭＩ）報告のうちの一方に対する第１の優先度と、
広帯域チャネル品質インジケータ（ＣＱＩ）報告またはＰＭＩ報告のうちの一方に対する第２の優先度と、
サブバンドＣＱＩ報告またはサブバンドＰＭＩ報告のうちの一方に対する第３の優先度とを備える、請求項２０に記載の装置。
【請求項２４】
前記セット優先度付けが、前記第１の優先ＣＳＩ報告と第２の優先ＣＳＩ報告との前記報告タイプ優先度付けに基づく、請求項２０に記載の装置。
【請求項２５】
第１のサブフレームにおける前記セット優先度付けのための前記タイブレーカーが、
最低セットインデックスを有するＣＳＩ報告セットに対する第１の優先度と、
次の最低セットインデックスを有する次のＣＳＩ報告セットに対する次の優先度とを備える、請求項２０に記載の装置。
【請求項２６】
前記セット優先度付けのための前記タイブレーカーは、前記第１のＣＳＩ報告セットと前記第２のＣＳＩ報告セットとからの前記衝突するＣＳＩ報告が同じセット優先度付けレベルを有するとき、前記第１のＣＳＩ報告セットと前記第２のＣＳＩ報告セットとのうちの一方が選好されるように、異なるサブフレームについて変化する、請求項２０に記載の装置。
【請求項２７】
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、請求項２０に記載の装置。
【請求項２８】
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、請求項２０に記載の装置。
【請求項２９】
物理アップリンク制御チャネル（ＰＵＣＣＨ）フォーマット３を利用することによって、サブフレーム中で前記第１のＣＳＩ報告セットと前記第２のＣＳＩ報告セットとを送信するための手段をさらに備える、請求項２０に記載の装置。
【請求項３０】
並列物理アップリンク制御チャネル（ＰＵＣＣＨ）を利用することによってサブフレーム中で前記第１のＣＳＩ報告セットと前記第２のＣＳＩ報告セットとを送信するための手段をさらに備える、請求項２０に記載の装置。
【請求項３１】
前記第１のＣＣと第２のＣＣとに関するＣＳＩ報告のマルチキャリア衝突があることを決定するための手段と、
前記第１のＣＣ  ＣＳＩ報告と前記第２のＣＣ  ＣＳＩ報告とについてのＣＳＩ報告マルチキャリア優先度付けを実行するための手段とをさらに備える、請求項２０に記載の装置。
【請求項３２】
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度とを備える、請求項３１に記載の装置。
【請求項３３】
前記第１のＣＣと前記第２のＣＣとがキャリアアグリゲーション（ＣＡ）のために構成された、請求項３１に記載の装置。
【請求項３４】
セット優先度付けとマルチキャリア優先度付けとの後の最も優先度の高いＣＳＩ報告セットの第１の優先ＣＳＩ報告がサブフレーム中で送信され、より優先度の低いＣＳＩ報告セットとより優先度の低いＣＣとのいずれかの優先ＣＳＩ報告がドロップされる、請求項３１に記載の装置。
【請求項３５】
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、請求項３１に記載の装置。
【請求項３６】
物理アップリンク制御チャネル（ＰＵＣＣＨ）フォーマット３を利用することによって、サブフレーム中で１つまたは複数のＣＣの各々について、１つまたは複数のＣＳＩ報告セットについての１つまたは複数の優先ＣＳＩ報告を送信するための手段をさらに備える、請求項３１に記載の装置。
【請求項３７】
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信するための手段をさらに備える、請求項３１に記載の装置。
【請求項３８】
少なくとも１つのプロセッサと、
前記少なくとも１つのプロセッサに結合されたメモリとを備える装置であって、
前記少なくとも１つのプロセッサは、
拡張セル間干渉協調（ｅＩＣＩＣ）または多地点協調（ＣｏＭＰ）送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定することと、
前記第１のＣＳＩ報告セット内のＣＳＩ報告の衝突を検出することと、ここで、前記第１のＣＳＩ報告セットと前記第２のＣＳＩ報告セットとの各々が前記第１のＣＣについての複数のＣＳＩ報告タイプを含む、
前記第１のＣＳＩ報告セットの前記衝突するＣＳＩ報告のＣＳＩ報告タイプに少なくとも部分的に基づいて報告タイプ優先度付けを実行することと、
前記第１のＣＳＩ報告セットの第１の優先ＣＳＩ報告と前記第２のＣＳＩ報告セットの第２のＣＳＩ報告とに関するＣＳＩ報告のセット衝突があることを決定することと、
前記第１のＣＳＩ報告セットと前記第２のＣＳＩ報告セットとのセット優先度付けを実行することとを行うように構成され、
前記セット優先度付けのためのタイブレーカーは、前記セット衝突が異なるサブフレームについて別様に解決されるように前記異なるサブフレームについて変化する、装置。
【請求項３９】
前記第１のＣＳＩ報告セットと前記第２のＣＳＩ報告セットとが、前記第１のＣＣについてのｅＩＣＩＣ測定値サブフレームのセットに対応するＣＳＩ報告を備える、請求項３８に記載の装置。
【請求項４０】
前記第１のＣＳＩ報告セットと前記第２のＣＳＩ報告セットとが前記ＣｏＭＰ送信についてのＣＳＩ報告を備える、請求項３８に記載の装置。
【請求項４１】
第1のサブフレームにおける前記セット優先度付けのための前記タイブレーカーが、
最低セットインデックスを有するＣＳＩ報告セットに対する第１の優先度と、
次の最低セットインデックスを有する次のＣＳＩ報告セットに対する次の優先度とを備える、請求項３８に記載の装置。
【請求項４２】
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、請求項３８に記載の装置。
【請求項４３】
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、請求項３８に記載の装置。
【請求項４４】
前記少なくとも１つのプロセッサが、
物理アップリンク制御チャネル（ＰＵＣＣＨ）フォーマット３を利用することによって、サブフレーム中で前記第１のＣＳＩ報告セットと前記第２のＣＳＩ報告セットとを送信することを行うようにさらに構成された、請求項３８に記載の装置。
【請求項４５】
前記少なくとも１つのプロセッサが、
並列物理アップリンク制御チャネル（ＰＵＣＣＨ）を利用することによってサブフレーム中で前記第１のＣＳＩ報告セットと前記第２のＣＳＩ報告セットとを送信することを行うようにさらに構成された、請求項３８に記載の装置。
【請求項４６】
前記少なくとも１つのプロセッサが、
前記第１のＣＣと第２のＣＣとに関するＣＳＩ報告のマルチキャリア衝突があることを決定することと、
前記第１のＣＣ  ＣＳＩ報告と前記第２のＣＣ  ＣＳＩ報告とのマルチキャリア優先度付けを実行することとを行うようにさらに構成された、請求項３８に記載の装置。
【請求項４７】
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度とを備える、請求項４６に記載の装置。
【請求項４８】
前記第１のＣＣと前記第２のＣＣとがキャリアアグリゲーション（ＣＡ）のために構成された、請求項４６に記載の装置。
【請求項４９】
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、請求項４６に記載の装置。
【請求項５０】
前記少なくとも１つのプロセッサが、
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信することを行うようにさらに構成された、請求項４６に記載の装置。
【請求項５１】
コンピュータに、
拡張セル間干渉協調（ｅＩＣＩＣ）または多地点協調（ＣｏＭＰ）送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定することと、
前記第１のＣＳＩ報告セット内のＣＳＩ報告の衝突を検出することと、ここで、前記第１のＣＳＩ報告セットと前記第２のＣＳＩ報告セットとの各々が前記第１のＣＣについての複数のＣＳＩ報告タイプを含む、
前記第１のＣＳＩ報告セットの前記衝突するＣＳＩ報告のＣＳＩ報告タイプに少なくとも部分的に基づいて報告タイプ優先度付けを実行することと、
前記第１のＣＳＩ報告セットの第１の優先ＣＳＩ報告と前記第２のＣＳＩ報告セットの第２のＣＳＩ報告とに関するＣＳＩ報告のセット衝突があることを決定することと、
前記第１のＣＳＩ報告セットと前記第２のＣＳＩ報告セットとのセット優先度付けを実行することとを行わせるためのコードを備え、
前記セット優先度付けのためのタイブレーカーは、前記セット衝突が異なるサブフレームについて別様に解決されるように前記異なるサブフレームについて変化する、非一時的コンピュータ可読記憶媒体。
【請求項５２】
前記第１のＣＳＩ報告セットと前記第２のＣＳＩ報告セットとが、前記第１のＣＣについてのｅＩＣＩＣ測定値サブフレームのセットに対応するＣＳＩ報告を備える、請求項５１に記載の非一時的コンピュータ可読記憶媒体。
【請求項５３】
前記第１のＣＳＩ報告セットと前記第２のＣＳＩ報告セットとが前記ＣｏＭＰ送信についてのＣＳＩ報告を備える、請求項５１に記載の非一時的コンピュータ可読記憶媒体。
【請求項５４】
第1のサブフレームにおける前記セット優先度付けのための前記タイブレーカーが、
最低セットインデックスを有するＣＳＩ報告セットに対する第１の優先度と、
次の最低セットインデックスを有する次のＣＳＩ報告セットに対する次の優先度とを備える、請求項５１に記載の非一時的コンピュータ可読記憶媒体。
【請求項５５】
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、請求項５１に記載の非一時的コンピュータ可読記憶媒体。
【請求項５６】
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、請求項５１に記載の非一時的コンピュータ可読記憶媒体。
【請求項５７】
コンピュータに、
並列物理アップリンク制御チャネル（ＰＵＣＣＨ）を利用することによってサブフレーム中で前記第１のＣＳＩ報告セットと前記第２のＣＳＩ報告セットとを送信することを行わせるためのコードをさらに備える、請求項５１に記載の非一時的コンピュータ可読記憶媒体。
【請求項５８】
コンピュータに、
前記第１のＣＣと第２のＣＣとに関するＣＳＩ報告のマルチキャリア衝突があることを決定することと、
前記第１のＣＣ  ＣＳＩ報告と前記第２のＣＣ  ＣＳＩ報告とについてのＣＳＩ報告のマルチキャリア優先度付けを実行することとを行わせるためのコードをさらに備える、請求項５１に記載の非一時的コンピュータ可読記憶媒体。
【請求項５９】
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度とを備える、請求項５８に記載の非一時的コンピュータ可読記憶媒体。
【請求項６０】
前記第１のＣＣと前記第２のＣＣとがキャリアアグリゲーション（ＣＡ）のために構成された、請求項５８に記載の非一時的コンピュータ可読記憶媒体。
【請求項６１】
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、請求項５８に記載の非一時的コンピュータ可読記憶媒体。
【請求項６２】
コンピュータに、
物理アップリンク制御チャネル（ＰＵＣＣＨ）フォーマット３を利用することによって、サブフレーム中で１つまたは複数のＣＣの各々について、１つまたは複数のＣＳＩ報告セットについての１つまたは複数の優先ＣＳＩ報告を送信することを行わせるためのコードをさらに備える、請求項５８に記載の非一時的コンピュータ可読記憶媒体。
【請求項６３】
コンピュータに、
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信することを行わせるためのコードをさらに備える、請求項５８に記載の非一時的コンピュータ可読記憶媒体。
【発明の詳細な説明】
【関連出願】
【０００１】
本特許出願は、本出願の譲受人に譲渡され、すべての目的のために参照により本明細書に明確に組み込まれる、２０１１年１１月８日に出願された「USER EQUIPMENT, BASE STATIONS, AND METHODS ALLOWING FOR HANDLING OF COLLIDING CHANNEL STATE INFORMATION REPORTS」と題する仮出願第６１／５５７，２６０号の優先権を主張する。
【技術分野】
【０００２】
本開示の態様は、総体的に、ワイヤレス通信システムの分野に関する。
【背景技術】
【０００３】
ワイヤレス通信ネットワークは、音声、ビデオ、パケットデータ、メッセージングなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、ユーザ機器（ＵＥ）とも呼ばれるいくつかのモバイル端末のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。基地局は、ＵＥにダウンリンク上でデータおよび制御情報を送信し得、ＵＥからアップリンク上でデータおよび制御情報を受信し得る。
【発明の概要】
【０００５】
ユーザ機器、基地局、および方法は、拡張セル間干渉協調（ｅＩＣＩＣ：enhanced inter-cell interference coordination）、多地点協調（ＣｏＭＰ：coordinated multipoint）送信、および／またはキャリアアグリゲーション（ＣＡ）の場合に衝突するチャネル状態情報（ＣＳＩ：channel state information）報告を処理することを可能にする。一態様では、ＣＳＩ報告間の優先度のためのタイブレーカー基準が異なるサブフレームについて変化する動的優先度付け方式が利用される。別の態様では、１つのサブフレーム中でＣＳＩ報告の２つ以上のセットを送信するために、物理アップリンク制御チャネル（ＰＵＣＣＨ：physical uplink control channel）フォーマット３が利用される。また別の態様では、サブフレーム中でＣＳＩ報告の１つまたは複数の追加のセットを送信するために、物理アップリンク共有チャネル（ＰＵＳＣＨ：physical uplink shared channel）が利用される。また別の態様では、並列ＰＵＣＣＨがサポートされる場合、衝突するＣＳＩの処理はＰＵＣＣＨごとに行われる。別の態様は、２つ以上のコンポーネントキャリア（ＣＣ）の各ＣＣ内の周期ＣＳＩに優先度を付け、次いで、キャリアアグリゲーションと、ｅＩＣＩＣおよび／またはＣｏＭＰとについてのＣＳＩ報告の相互作用を処理するために異なるＣＣにわたって優先度を付けることを可能にする。
【０００６】
本開示の代表的な態様は、ｅＩＣＩＣまたはＣｏＭＰ送信のうちの少なくとも一方を利用する、ワイヤレスネットワークにおけるＵＥのための方法を対象とする。本方法は、ｅＩＣＩＣまたはＣｏＭＰ送信とともに利用される第１のＣＣに関して、少なくとも第１のＣＳＩ報告セットと第２のＣＳＩ報告セットとについてのＣＳＩ報告構成を決定することと、第１のＣＳＩ報告セット内の２つ以上のＣＳＩ報告の衝突を検出することであって、第１のＣＳＩ報告セットと第２のＣＳＩ報告セットとの各々が第１のＣＣについての複数のＣＳＩ報告タイプを含む、検出することと、第１のＣＳＩ報告セットの衝突する２つ以上のＣＳＩ報告のＣＳＩ報告タイプに少なくとも部分的に基づいて報告タイプ優先度付けを実行することと、第１のＣＳＩ報告セットの第１の優先ＣＳＩ報告と第２のＣＳＩ報告セットの第２の優先ＣＳＩ報告とに関するＣＳＩ報告のセット衝突があることを決定することと、第１のＣＳＩ報告セットと第２のＣＳＩ報告セットとのセット優先度付けを実行することとを含む。
【０００７】
本開示のさらなる代表的な態様は、ｅＩＣＩＣまたはＣｏＭＰ送信とともに利用される第１のＣＣに関して、少なくとも第１のＣＳＩ報告セットと第２のＣＳＩ報告セットとについてのＣＳＩ報告構成を決定するための手段と、第１のＣＳＩ報告セット内の２つ以上のＣＳＩ報告の衝突を検出するための手段であって、第１のＣＳＩ報告セットと第２のＣＳＩ報告セットとの各々が第１のＣＣについての複数のＣＳＩ報告タイプを含む、検出するための手段と、第１のＣＳＩ報告セットの衝突する２つ以上のＣＳＩ報告のＣＳＩ報告タイプに少なくとも部分的に基づいて報告タイプ優先度付けを実行するための手段と、第１のＣＳＩ報告セットの第１の優先ＣＳＩ報告と第２のＣＳＩ報告セットの第２の優先ＣＳＩ報告とに関するＣＳＩ報告のセット衝突があることを決定するための手段と、第１のＣＳＩ報告セットと第２のＣＳＩ報告セットとのセット優先度付けを実行するための手段とを含む、ｅＩＣＩＣまたはＣｏＭＰ送信のうちの少なくとも一方を利用する、ワイヤレスネットワークにおけるＵＥのための装置を対象とする。
【０００８】
本開示のさらなる代表的な態様は、少なくとも１つのプロセッサと、そのプロセッサに結合されたメモリとを含む装置を対象とする。プロセッサは、ｅＩＣＩＣまたはＣｏＭＰ送信とともに利用される第１のＣＣに関して、少なくとも第１のＣＳＩ報告セットと第２のＣＳＩ報告セットとについてのＣＳＩ報告構成を決定することと、第１のＣＳＩ報告セット内の２つ以上のＣＳＩ報告の衝突を検出することであって、第１のＣＳＩ報告セットと第２のＣＳＩ報告セットとの各々が第１のＣＣについての複数のＣＳＩ報告タイプを含む、検出することと、第１のＣＳＩ報告セットの衝突する２つ以上のＣＳＩ報告のＣＳＩ報告タイプに少なくとも部分的に基づいて報告タイプ優先度付けを実行することと、第１のＣＳＩ報告セットの第１の優先ＣＳＩ報告と第２のＣＳＩ報告セットの第２の優先ＣＳＩ報告とに関するＣＳＩ報告のセット衝突があることを決定することと、第１のＣＳＩ報告セットと第２のＣＳＩ報告セットとのセット優先度付けを実行することとを行うように構成される。
【０００９】
本開示のさらなる代表的な態様は、コンピュータに、ｅＩＣＩＣまたはＣｏＭＰ送信とともに利用される第１のＣＣに関して、少なくとも第１のＣＳＩ報告セットと第２のＣＳＩ報告セットとについてのＣＳＩ報告構成を決定することと、第１のＣＳＩ報告セット内の２つ以上のＣＳＩ報告の衝突を検出することであって、第１のＣＳＩ報告セットと第２のＣＳＩ報告セットとの各々が第１のＣＣについての複数のＣＳＩ報告タイプを含む、検出することと、第１のＣＳＩ報告セットの衝突する２つ以上のＣＳＩ報告のＣＳＩ報告タイプに少なくとも部分的に基づいて報告タイプ優先度付けを実行することと、第１のＣＳＩ報告セットの第１の優先ＣＳＩ報告と第２のＣＳＩ報告セットの第２の優先ＣＳＩ報告とに関するＣＳＩ報告のセット衝突があることを決定することと、第１のＣＳＩ報告セットと第２のＣＳＩ報告セットとのセット優先度付けを実行することとを行わせるためのコードを含む非一時的コンピュータ可読記憶媒体を対象とする。
【図面の簡単な説明】
【００１０】
【図１】一態様によるワイヤレスネットワークを示す図。
【図２】一態様による、ユーザ機器と通信している基地局を示す図。
【図３】一態様による、ダウンリンク通信フォーマットの一例を示す図。
【図４】一態様による、アップリンク通信フォーマットの一例を示す図。
【図５】一態様による、複数のセルからユーザ機器への協調送信の一例を示す図。
【図６】一態様による方法のフローチャート。
【図７】一態様による方法のフローチャート。
【図８】一態様による方法のフローチャート。
【図９】一態様による方法のフローチャート。
【図１０】一態様による方法のフローチャート。
【図１１】一態様による方法のフローチャート。
【図１２】本開示の一態様を実装するために実行される例示的なブロックを示す機能ブロック図。
【図１３】本開示の一態様を実装するために実行される例示的なブロックを示す機能ブロック図。
【図１４】本開示の一態様に従って構成されたＵＥの詳細を示すブロック図。
【詳細な説明】
【００１１】
図１に、ロングタームエボリューションアドバンスト（ＬＴＥ−Ａ：Long Term Evolution Advanced）ネットワークなどであり得るワイヤレスネットワーク１００を示す。ワイヤレスネットワーク１００は、いくつかの発展型ノードＢ（ｅノードＢ）１１０ａ、１１０ｂ、１１０ｃ、１１０ｘ、１１０ｙ、１１０ｚと他のネットワークエンティティとを含む。ｅノードＢは、ユーザ機器（ＵＥ）１２０、１２０ｒ、１２０ｘ、１２０ｙと通信する局であり得、基地局、ノードＢ、アクセスポイントなどと呼ばれることもある。各ｅノードＢ１１０ａ、１１０ｂ、１１０ｃ、１１０ｘ、１１０ｙ、１１０ｚは、対応する特定の地理的エリア１０２ａ、１０２ｂ、１０２ｃ、１０２ｘ、１０２ｙ、１０２ｚに通信カバレッジを提供し得る。第３世代パートナーシッププロジェクト（３ＧＰＰ：3rd Generation Partnership Project）では、「セル」という用語は、この用語が使用されるコンテキストに応じて、ｅノードＢのこの特定の地理的カバレージエリアおよび／またはこのカバレージエリアをサービスするｅノードＢサブシステムを指すことがある。
【００１２】
ｅノードＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅または建築物）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。
【００１３】
マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢである。ｅノードＢ１１０ｘは、ピコセル１０２ｘのためのピコｅノードＢである。また、ｅノードＢ１１０ｙおよび１１０ｚは、それぞれフェムトセル１０２ｙおよび１０２ｚのためのフェムトｅノードＢである。ｅノードＢは、１つまたは複数の（たとえば、２つ、３つ、４つなどの）セルをサポートし得る。
【００１４】
ワイヤレスネットワーク１００はまた、中継局１１０ｒなど、中継局を含み得る。中継局は、上流局（たとえば、ｅノードＢ、ＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレー、リレーｅノードＢなどと呼ばれることもある。
【００１５】
ワイヤレスネットワーク１００は、様々なタイプのｅノードＢ、たとえば、マクロｅノードＢ、ピコｅノードＢ、フェムトｅノードＢ、リレーなどを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、およびリレーは、より低い送信電力レベル（たとえば、１ワット）を有し得る。
【００１６】
ワイヤレスネットワーク１００は、同期動作をサポートすることが可能であり、ｅノードＢは同様のフレームタイミングを有し、異なるｅノードＢからの送信は近似的に時間的に整合され得る。一態様では、ワイヤレスネットワーク１００は、周波数分割複信（ＦＤＤ）動作モードまたは時分割複信（ＴＤＤ）動作モードをサポートし得る。本明細書で説明する技法は、ＦＤＤ動作モードまたはＴＤＤ動作モードのいずれかのために使用され得る。
【００１７】
ネットワークコントローラ１３０は、ｅノードＢ１１０ａ、１１０ｂ、１１０ｃ、１１０ｘ、１１０ｙ、１１０ｚなど、ｅノードＢのセットに結合し、これらのｅノードＢの調整および制御を行い得る。ネットワークコントローラ１３０は、バックホールを介してｅノードＢ１１０ａ、１１０ｂ、１１０ｃ、１１０ｘ、１１０ｙ、１１０ｚと通信し得る。ｅノードＢ１１０ａ、１１０ｂ、１１０ｃ、１１０ｘ、１１０ｙ、１１０ｚはまた、たとえば、ワイヤレスバックホールまたはワイヤラインバックホールを介して直接または間接的に互いに通信し得る。
【００１８】
ＵＥ１２０、１２０ｒ、１２０ｘ、１２０ｙはワイヤレスネットワーク１００全体にわたって分散され、各ＵＥ１２０、１２０ｒ、１２０ｘ、１２０ｙは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレットなどであり得る。ＵＥは、マクロｅノードＢ、ピコｅノードＢ、フェムトｅノードＢ、リレーなどと通信することが可能であり得る。
【００１９】
図２に、図１の基地局／ｅノードＢのうちの１つおよびＵＥのうちの１つであり得る、基地局／ｅノードＢ１１０およびＵＥ１２０の設計を示すブロック図を示す。たとえば、図２の基地局１１０は、図１のマクロｅノードＢ１１０ｃであり得、図２のＵＥ１２０は図１のＵＥ１２０ｙであり得る。基地局１１０はまた、何らかの他のタイプの基地局であり得る。図示のように、基地局１１０およびＵＥ１２０はそれぞれ、本明細書で説明する動作を実行するための例示的な非限定的な手段を与える様々な構成要素を含む。特に、基地局１１０およびＵＥ１２０は、図６〜図１３で以下に示すそれぞれのアルゴリズムを実装するために利用され得る。
【００２０】
基地局１１０はアンテナ４３４ａ〜４３４ｔを装備し得、ＵＥ１２０はアンテナ４５２ａ〜４５２ｒを装備し得る。基地局１１０において、送信プロセッサ４２０は、データソース４１２からデータを受信し、コントローラ／プロセッサ４４０から制御情報を受信し得る。送信プロセッサ４２０は、データと制御情報とを処理（たとえば、符号化およびシンボルマッピング）して、それぞれデータシンボルと制御シンボルとを取得し得る。送信プロセッサ４２０はまた基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２ａ〜４３２ｔは、それぞれの出力シンボルストリームを処理して出力サンプルストリームを与え得る。各変調器４３２ａ〜４３２ｔはさらに、出力サンプルストリームを処理（たとえば、アナログへの変換、増幅、フィルタ処理、および／またはアップコンバート）して、ダウンリンク信号を与え得る。変調器４３２ａ〜４３２ｔからのダウンリンク信号は、それぞれアンテナ４３４ａ〜４３４ｔを介して送信され得る。
【００２１】
ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４ａ〜４５４ｒは、それぞれの受信信号を調整（たとえば、フィルタ処理、増幅、ダウンコンバート、および／またはデジタル化）して、入力サンプルを取得し得る。各復調器４５４ａ〜４５４ｒは、さらに入力サンプルを処理して受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実行し、検出シンボルを与え得る。受信プロセッサ４５８は、検出シンボルを処理（たとえば、復調、デインターリーブ、および／または復号）し、ＵＥ１２０の復号されたデータをデータシンク４６０に与え、復号された制御情報をコントローラ／プロセッサ４８０に与え得る。
【００２２】
アップリンク上では、ＵＥ１２０において、送信プロセッサ４６４は、データソース４６２からデータを受信し処理し、コントローラ／プロセッサ４８０から制御情報を受信し処理して、それぞれ、データシンボルと制御シンボルとを取得し得る。送信プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに変調器４５４ａ〜４５４ｒによって処理され、基地局１１０に送信され得る。
【００２３】
基地局１１０において、ＵＥ１２０からのアップリンク信号は、アンテナ４３４ａ〜４３４ｔによって受信され、復調器４３２ａ〜４３２ｔによって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に与え、復号された制御情報をコントローラ／プロセッサ４４０に与え得る。基地局１１０は、たとえば、Ｘ−２インターフェース４４１を介して他の基地局にメッセージを送ることができる。
【００２４】
コントローラ／プロセッサ４４０および４８０は、それぞれ基地局１１０およびＵＥ１２０における動作を指示し得る。基地局１１０におけるコントローラ／プロセッサ４４０および／または他のプロセッサならびにモジュールは、本明細書で説明する技法についての様々なプロセスを実行するか、またはその実行を指示し得る。ＵＥ１２０におけるコントローラ／プロセッサ４８０および／または他のプロセッサおよびモジュールはまた、本明細書で説明する技法のための様々なプロセスを実行するか、またはその実行を指示し得る。メモリ４４２および４８２は、それぞれ基地局１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００２５】
基地局１１０は、基地局１１０からＵＥ１２０へのデータ送信のために使用されるべき異なる変調方式と異なるコードレートとの中から選択することができる。たとえば、様々な態様では、基地局１１０は、データの送信のために、４位相シフトキーイング（ＱＰＳＫ）、１６直交振幅変調（１６ＱＡＭ）、および６４ＱＡＭなどの様々な変調方式の中から選択することが可能である。所与の変調方式について、たとえば、０．０７６〜０．９３の範囲内のコードレートなどのコードレートも、基地局１１０によって選択され得る。
【００２６】
基地局１１０は、ダウンリンクチャネル状態に基づいて変調方式とコードレートとを選択するためにリンク適応を実行することができる。基地局１１０からＵＥ１２０によって受信された信号の品質は、基地局１１０からのチャネル品質と、他の基地局からの干渉レベルと、雑音レベルとに依存する。基地局１１０は、チャネル状態に基づいてデータ送信のための変調方式を変更するためにリンク適応を使用することができる。ＱＰＳＫなどの低次変調方式は、よりロバストであり、高い干渉レベルを許容することができるが、より高次の変調方式と比較して、より低い送信ビットレートを有する。６４ＱＡＭなど、変調シンボル当たりより多くのビットをもつ高次変調方式は、より高いビットレートを可能にするが、より低次の変調方式と比較して、干渉および雑音により敏感である。
【００２７】
基地局１１０はまた、無線リンク状態に基づいて、データ送信のための所与の変調方式についてのコードレートを変更するためにリンク適応を使用することができる。たとえば、不十分なチャネル状態があるとき、より低いコードレートが使用され得、信号対干渉プラス雑音比（ＳＩＮＲ：Signal-to-Interference-plus-Noise Ratio）が、良好なチャネル状態を示す指定のしきい値を超えるとき、より高いコードレートが使用され得る。
【００２８】
適切な変調方式とコードレートとを選択するためにダウンリンクチャネル状態を決定するために、基地局１１０は、ＵＥ１２０から送られたフィードバックを受信する。様々な態様では、ＵＥ１２０は、ダウンリンク基準信号に対して測定を実行し、次いでフィードバックをチャネル品質インジケータ（ＣＱＩ）の形態で基地局１１０に与え、フィードバックは、現在のＳＩＮＲとＵＥ１２０の様々な特性とを考慮に入れた後に、チャネルによってサポートされ得るデータレートの指示を与える。ＵＥ１２０からのＣＱＩフィードバックに応答して、基地局１１０は、チャネル状態に適した変調方式とコードレートとを選択することができる。
【００２９】
様々な態様では、基地局１１０はテーブルを維持し、そのテーブル中の各行は、インデックス番号と、対応する変調方式とコードレートとを有する。そのような態様では、ＵＥ１２０によって報告されたＣＱＩは、所望の変調方式とコードレートとを示すためにテーブルのためのインデックス番号を指定し得る。たとえば、ＵＥ１２０は、測定されたチャネル状態に基づいて、１０％を超えないブロック誤り率（ＢＬＥＲ：Block Error Rate）の確率でＵＥ１２０が復号することができる最高変調およびコーディング方式を報告することができる。ＵＥ１２０からの報告は、所望の変調およびコーディング方式を指定するＣＱＩ報告の形態であり得る。
【００３０】
リンク適応に加えて、基地局１１０によって採用され得る別の技法は、複数のアンテナを使用することによって空間多重化を実行することである。たとえば、基地局１１０は複数のアンテナ４３４ａ〜４３４ｔを有し、ＵＥ１２０は複数のアンテナ４５２ａ〜４５２ｒを有し、したがって、それらのアンテナは空間多重化のために使用され得る。空間多重化の場合、情報ビットの２つ以上のブロックが別々に符号化され変調され、得られた２つ以上のシンボルストリームは、異なるアンテナから送信される。チャネルがサポートすることができる同時に送信されるストリームの数は、チャネル特性に依存し、チャネルランク（channel rank）と呼ばれる。
【００３１】
ＵＥ１２０は、チャネル特性を測定することと、次いでチャネル帯域幅にわたって容量を最大にするように計算されるランクインジケータ（ＲＩ）をフィードバックとして基地局１１０に送ることとによって、チャネルランクを報告するように構成され得る。ＵＥ１２０からのＲＩ中で指定されたチャネルランクは、チャネルがサポートすることができる同時ストリームの数を示す。基地局１１０は、次いでＲＩ中で指定された数までの数のストリームを送信することができ、実際に送信されたストリームの数は送信ランク（transmission rank）と呼ばれる。
【００３２】
複数のアンテナワイヤレス通信のために基地局１１０によって使用される別の技法はプリコーディングである。プリコーディングの場合、複数のデータストリームが、リンクスループットが最大にされるような重み付けを用いてアンテナから放出される。異なる重み付けを有する異なるプリコーダが選択され得る。選択されるべき利用可能なプリコーダはコードブック中で指定され得る。選択されるべき最も好適なプリコーダは、ＵＥ１２０によって知られている現在のチャネル状態に依存する。たとえば、ＵＥ１２０は、基地局１１０からの基準信号に対して測定を行うことによって、異なるアンテナポートからのチャネルの伝達関数を決定することができ、次いで、どのプリコーダがチャネル状態に最も適しているかを決定することができる。ＵＥ１２０はまた、コードブックにおいて定義されている利用可能なプリコーディング行列を知り得、現在のチャネル状態にとって好適になることをＵＥ１２０によって決定された特定のプリコーダを示すためにプリコーディング行列インジケータ（ＰＭＩ）をフィードバックとして基地局１１０に送ることができる。基地局１１０は、次いで、送信のために使用されるべきプリコーダを選択するとき、ＰＭＩ中でＵＥ１２０によって指定されたプリコーダを考慮に入れ得る。
【００３３】
ＵＥ１２０から基地局１１０へのＣＱＩとＰＭＩとＲＩとの報告は、チャネル状態情報（ＣＳＩ）報告の例である。ＣＱＩとＰＭＩとＲＩとは、チャネル状態を示すフィードバックインジケータであるＣＳＩの各タイプである。報告されたＣＳＩ情報の量のために遭遇したアップリンクオーバーヘッドと、基地局１１０が現在状態を考慮することができる精度との間に、トレードオフが存在する。ＣＳＩがＵＥ１２０によって基地局１１０に頻繁に報告される場合、基地局１１０はチャネル状態により良く調整することができる。一方、ＣＳＩの頻繁な報告は、アップリンクのより多くがＣＳＩを報告することに専用である必要があるので、アップリンク中でより大きいオーバーヘッドを作成する。
【００３４】
いくつかの態様では、基地局１１０は、ＣＳＩがＵＥ１２０によって報告されるレートを構成することができる。たとえば、基地局１１０は、ＵＥ１２０が周期的間隔でＣＳＩ報告を送ることを要求することができ、その周期は、２ｍｓ、５ｍｓ、１０ｍｓ、１６ｍｓ、２０ｍｓ、３２ｍｓ、４０ｍｓ、６４ｍｓ、８０ｍｓ、１２８ｍｓ、１６０ｍｓなど、可能な周期の中から基地局１１０によって選択され得る。そのようなＣＳＩ報告は周期ＣＳＩ報告と呼ばれる。報告の衝突は、複数のＣＳＩ報告事例がタイプ、セット、ＣＣなどについて重複するときに発生し得る。たとえば、２０ｍｓおよび８０ｍｓごとにスケジュールされるＣＳＩ報告は、報告の周期性に基づいて、４番目の報告間隔ごとに衝突し得る。したがって、そのような衝突が生じた場合、１つまたは複数のＣＳＩ報告をドロップすることが必要であり得る。ＣＳＩの報告についてさらに説明するために、基地局１１０とＵＥ１２０との間の通信のためのフォーマットの一例を考慮することが有益である。
【００３５】
図３に、ダウンリンクＦＤＤフレーム構造の一例を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中にＮ個のサブキャリア（たとえば、１２個のサブキャリア）をカバーし得る。
【００３６】
基地局は、基地局によってサービスされる各セルについて１次同期信号（ＰＳＣまたはＰＳＳ：primary synchronization signal）と２次同期信号（ＳＳＣまたはＳＳＳ：secondary synchronization signal）とを送り得る。ＦＤＤ動作モードの場合、１次同期信号および２次同期信号は、図３に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ＦＤＤ動作モードの場合、基地局は、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３７】
基地局は、図３に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図３に示す例では、Ｍ＝３である。基地局は、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図３に示す例でも、ＰＤＣＣＨおよびＰＨＩＣＨは最初の３つのシンボル期間中に含まれている。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割当てに関する情報と、アップリンクチャネルのための電力制御情報とを搬送し得る。基地局は、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥについてのデータを搬送し得る。
【００３８】
図４は、アップリンク通信のための例示的なＦＤＤおよびＴＤＤサブフレーム構造を示すブロック図である。ダウンリンクフォーマットと同様に、アップリンクフォーマットもサブフレームに分離される。アップリンクのために利用可能なリソースブロック（ＲＢ：resource block）は、データセクションと制御セクションとに区分され得る。制御セクション内のリソースブロックは、制御情報を送信するためにＵＥに割り当てられ得る。データセクションは、制御セクション中に含まれないすべてのリソースブロックを含み得る。
【００３９】
ＵＥには、基地局に制御情報を送信するために制御セクション中のリソースブロックが割り当てられ得る。ＵＥには、基地局にデータを送信するためにデータセクション中のリソースブロックも割り当てられ得る。ＵＥは、制御セクション中の割り当てられたリソースブロック上の物理アップリンク制御チャネル（ＰＵＣＣＨ）中で制御情報を送信し得る。ＵＥは、データセクション中の割り当てられたリソースブロック上の物理アップリンク共有チャネル（ＰＵＳＣＨ）中でデータのみまたはデータと制御情報の両方を送信し得る。アップリンク送信は、サブフレームの両方のスロットにわたり得、周波数上でホッピングし得る。
【００４０】
本開示の様々な態様は拡張セル間干渉協調（ｅＩＣＩＣ）に関する。
【００４１】
ＵＥは、ＵＥが１つまたは複数の干渉ｅノードＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅノードＢ１１０ｙに近接し得、フェムトｅノードＢ１１０ｙについて高い受信電力を有し得る。しかしながら、ＵＥ１２０ｙは、制限された関連付けによりフェムトｅノードＢ１１０ｙにアクセスすることができないことがあり、代わりに、（図１に示されているように）より低い受信電力をもつマクロｅノードＢ１１０ｃに、または（図１に示されていない）同じくより低い受信電力をもつフェムトｅノードＢ１１０ｚに接続し得る。その場合、ＵＥ１２０ｙは、ダウンリンク上でフェムトｅノードＢ１１０ｙからの高い干渉を観測し得、また、アップリンク上でｅノードＢ１１０ｙに高い干渉を引き起こし得る。
【００４２】
接続モードで動作しているとき、ＵＥ１２０ｙは、この支配的干渉シナリオにおいて非常に多くの干渉を経験し得るので、ＵＥ１２０ｙは、たとえば、マクロｅノードＢ１１０ｃとの許容できる接続を維持することがもはや可能でないことがある。ＵＥ１２０ｙについての干渉の分析は、マクロｅノードＢ１１０ｃからダウンリンク上で受信されたＰＤＣＣＨの誤り率を計算することなどによって、信号品質を取得することを含む。代替として、ＰＤＣＣＨの誤り率は、ＰＤＣＣＨの信号対雑音比（ＳＮＲ）に基づいて予測され得る。ＵＥ１２０ｙによって計算される、ＰＤＣＣＨの誤り率が、あらかじめ定義されたレベルに達した場合、ＵＥ１２０ｙは、マクロｅノードＢ１１０ｃに対して無線リンク障害（ＲＬＦ：radio link failure）を宣言し、接続を終了することになる。この時点で、ＵＥ１２０ｙは、マクロｅノードＢ  １１０ｃに再接続することを試みるか、または場合によっては、より強い信号をもつ別のｅノードＢに接続することを試み得る。
【００４３】
支配的干渉シナリオはまた、範囲拡張により発生し得る。ＵＥが、ＵＥによって検出されたすべてのｅノードＢ間でより低い経路損失とより低いＳＮＲとをもつｅノードＢに接続するとき、範囲拡張は行われる。たとえば、図１では、ＵＥ１２０ｘは、マクロｅノードＢ１１０ｂとピコｅノードＢ１１０ｘとを検出し得る。さらに、ＵＥ１２０ｘは、マクロｅノードＢ１１０ｂよりもピコｅノードＢ１１０ｘのためのより低い受信電力を有し得る。ＵＥ１２０ｘは、ピコｅノードＢ１１０ｘのための経路損失がマクロｅノードＢ１１０ｂのための経路損失よりも低い場合、ピコｅノードＢ１１０ｘに接続し得る。これにより、ＵＥ１２０ｘの所与のデータレートに対してワイヤレスネットワークへの干渉が少なくなり得る。
【００４４】
範囲拡張対応ワイヤレスネットワークでは、拡張セル間干渉協調（ｅＩＣＩＣ）は、強いダウンリンク信号強度をもつマクロ基地局の存在下で、ＵＥがより低電力の基地局（たとえば、ピコ基地局、フェムト基地局、リレーなど）からサービスを取得することを可能にし、および／またはＵＥが接続することを許可されない基地局からの強い干渉信号の存在下で、ＵＥがマクロ基地局からサービスを取得することを可能にし得る。ｅＩＣＩＣは、干渉基地局がいくつかのリソースを放棄し、ＵＥとサービング基地局との間の制御およびデータ送信を可能にし得るようにリソースを協調させるために使用され得る。ネットワークがｅＩＣＩＣをサポートするとき、基地局は、それのリソースの一部を放棄する干渉セルからの干渉を低減および／または除去するためにリソースの使用をネゴシエートし、協調させる。したがって、ＵＥは、干渉セルによってもたらされるリソースを使用することによって、厳しい干渉の場合でもサービングセルにアクセスすることができる。
【００４５】
たとえば、メンバーフェムトＵＥのみがセルにアクセスし得るクローズドアクセスモードのフェムトセルが、マクロセルのカバレージエリア内にあるとき、マクロセル内のカバレージ喪失が存在し得る。このフェムトセルにそれのリソースのいくつかを断念させることによって、フェムトセルカバレージエリア内のＵＥは、フェムトセルによってもたらされるリソースを使用することによってそれのサービングマクロセルにアクセスし得る。ＯＦＤＭを使用する無線アクセスシステムでは、これらのもたらされるリソースは、時間ベース、周波数ベース、または両方の組合せであり得る。もたらされるリソースが時間ベースであるとき、干渉セルは、時間領域においてそれのアクセス可能サブフレームの一部を使用することを控える。これらのリソースが周波数ベースであるとき、干渉セルは、周波数領域においてそれのアクセス可能サブキャリアの一部を使用しない。もたらされるリソースが周波数と時間の両方の組合せであるとき、干渉セルは、周波数および時間によって定義されるリソースを使用しない。
【００４６】
時間領域ｅＩＣＩＣでは、異なるセルにわたるサブフレーム利用は、オールモストブランクサブフレーム（ＡＢＳ：Almost Blank Subframe）パターンのバックホールシグナリングまたはオペレーションズアンドマネージメント（ＯＡＭ：Operations and Management）構成を通して時間的に協調される。ＡＢＳは、いくつかの物理チャネル上の（送信を含まない）低減された送信電力および／または低減されたアクティビティをもつサブフレームである。
【００４７】
ｅＩＣＩＣの場合、ＣＳＩ測定サブフレームの２つのセットがＵＥについて構成され得る。ＣＳＩは、２つのサブフレームセット、すなわち（ｉ）ＣCSI,0：ｃｓｉ−ＭｅａｓＳｕｂｆｒａｍｅＳｅｔ１−ｒ１０と、（ｉｉ）ＣCSI,1：ｃｓｉ−ＭｅａｓＳｕｂｆｒａｍｅＳｅｔ２−ｒ１０とを含んでいる、パラメータｃｓｉ−ＳｕｂｆｒａｍｅＰａｔｔｅｒｎＣｏｎｆｉｇ−ｒ１０を介して構成され得る。様々な態様では、ＣCSI,0とＣCSI,1は、重複することが予想されない。また、様々な態様では、各ＣＳＩ参照リソースは、いずれかのセットに属するが、両方には属さない。さらに、ｅノードＢは、（ｉ）セット１：ｃｑｉ−ｐｍｉ−ＣｏｎｆｉｇＩｎｄｅｘ（ＣＱＩ／ＰＭＩの周期性／オフセット）およびｒｉ−ＣｏｎｆｉｇＩｎｄｅｘ（ＲＩの周期性／オフセット）、ならびに（ｉｉ）セット２：ｃｑｉ−ｐｍｉ−ＣｏｎｆｉｇＩｎｄｅｘ２およびｒｉ−ＣｏｎｆｉｇＩｎｄｅｘ２など、周期報告パラメータの１つまたは２つのセットのいずれかを構成することができる。
【００４８】
ｅＩＣＩＣでは、たとえば、重複するセット１およびセット２がある場合、衝突があり得る。制限付き測定サブフレームの両方のセットが構成されたとき、ＣＳＩ構成セット１のＣＳＩ報告インスタンスはＣＳＩ構成セット２のＣＳＩ報告インスタンスと衝突することがある。様々な態様では、ｅＩＣＩＣが使用されるとき、あるサブフレームでは、基地局は、干渉を低減するために、低減された送信電力で送信しているかまたはまったく送信していないことがあるが、他のサブフレームでは、基地局は全電力で送信しており、干渉を生じていることがあるので、ＵＥから見た干渉が異なるであろう２つのタイプのサブフレームがある。様々な態様では、ＵＥは、それらの２つの異なる状態についての２つの異なるＣＳＩ測定値を取得し、１つは、干渉がより少ない状態を測定し、１つは、干渉がより多い状態を測定する。それらの２つの異なる状態についてのＣＳＩ報告は、それらのＣＳＩ報告が、それらの周期性／オフセットに基づいて同じサブフレーム中で送信されることになる場合、衝突し得る。
【００４９】
ｅＩＣＩＣに加えて、様々なシステムにおいて採用され得る別の技法は多地点協調送信（ＣｏＭＰ）である。
【００５０】
再び図１を参照すると、ワイヤレスネットワーク１００は、ダウンリンク上でのＵＥ１２０への協調データ送信または非協調データ送信をサポートすることができる。（本明細書では「多地点協調（ＣｏＭＰ）送信」とも呼ぶ）協調送信の場合、ターゲットＵＥにおいて複数のセルからの信号が組み合わせられ得るように、および／またはターゲットＵＥにおいてセル間干渉が低減され得るように、複数のセルは、同じ時間周波数リソース上でデータを１つまたは複数のターゲットＵＥに送信するように協調し得る。本明細書で使用する以下の送信モードは、協調送信において１つまたは複数のｅＮＢによって与えられ得る。
【００５１】
１．ジョイント処理  −  異なるセルにおけるプリコーディングベクトルが、ターゲットＵＥにおけるビームフォーミング利得および／あるいは１つまたは複数の被干渉ＵＥにおける干渉低減を達成するように選択される、複数のセルから１つまたは複数のＵＥへのデータの多地点送信、
２．協調ビームフォーミング  −  １つまたは複数のプリコーディングベクトルが、ターゲットＵＥへのビームフォーミング利得と、１つまたは複数のネイバーセルによってサービスされる１つまたは複数の被干渉ＵＥへの干渉低減との間で取引することによってセルのために選択される、単一のセルからターゲットＵＥへのデータの単一地点送信、
３．協調サイレンシング  −  ターゲットＵＥへの干渉を生じることを回避するために、１つまたは複数の他のセルが時間周波数リソース上で送信しない、所与の時間周波数リソース上での１つまたは複数のセルからターゲットＵＥへのデータの送信。
【００５２】
ＣｏＭＰは、上記に記載していない他の送信モードを含み得る。各ＣｏＭＰ送信モードは複数のセルに関与し得、その複数のセルは、データをＵＥに送信する少なくとも１つのセルと、場合によってはＵＥへの干渉を低減するように働く少なくとも１つの他のセルとを含み得る。
【００５３】
複数のセルは、ジョイント処理のためにデータを所与のＵＥに送信し得るが、単一のセルは、協調ビームフォーミングでデータをＵＥに送信し得る。しかしながら、ジョイント処理と協調ビームフォーミングの両方について、データをＵＥに送信するために１つまたは複数のセルによって使用される（１つまたは複数の）プリコーディングベクトルは、セル間干渉を低減するためにＵＥのチャネルならびに他の（１つまたは複数の）ＵＥのチャネルを考慮することによって選択され得る。たとえば、干渉を低減するために所与のＵＥのチャネルに従って選択されるプリコーディングベクトルに基づいて、ネイバーセルが、それのＵＥのうちの１つにデータを送信し得る。各ＣｏＭＰ送信モードについて、どのセルが参加するか（たとえば、ＵＥのための「ＣｏＭＰセット」）を決定することと、ＵＥのためのデータおよび／または他の情報（たとえば、スケジューリング情報、チャネル状態情報、プリコーディング情報など）をすべての参加セルに送ることとによって、指定されたエンティティ（たとえば、サービングセル１１０ａ、ネットワークコントローラ１３０など）が協調送信を可能にし得る。
【００５４】
図５に、複数のセルから単一のＵＥへのＣｏＭＰ送信の一例を示す。ＵＥは測定セットを有し得、測定セットは、ＣｏＭＰ送信に参加することができるすべてのセルを含み得る。これらのセルは、同じｅノードＢまたは異なるｅノードＢに属し得、チャネル利得／経路損失、受信信号強度、受信信号品質などに基づいて選択され得る。たとえば、測定セットは、チャネル利得または受信信号強度、あるいはあるしきい値を上回る受信信号品質をもつセルを含み得る。
【００５５】
ＵＥは、測定セット中のセルについてのチャネル状態情報（ＣＳＩ）を報告し得る。ＵＥは、多地点送信（ジョイント処理）または単一地点送信（協調ビームフォーミング）のいずれかについて、ＣｏＭＰセット中の複数のセルによってサービスされ得る。前述のように、ＣｏＭＰセットは、データをＵＥに送信する（１つまたは複数の）セルと、ＵＥへの干渉を低減することを試みる（１つまたは複数の）セルとを含み得る。ＣｏＭＰセットは、測定セット中のセルの全部または一部を含み得、ワイヤレスネットワークによって動的に選択され得る。
【００５６】
概して、ＵＥは、参加セルの選択に関して、ならびにＵＥに対する協調送信モードを決定するための両者で、ＣｏＭＰ送信をサポートするために、ＣＳＩとタイミング情報とを報告し得る。チャネル状態情報は、異なるセルについてのチャネル応答を示し得るが、タイミング情報は、異なるセルによって送信された信号のＵＥにおける受信時間を示し得る。
【００５７】
ＵＥは、（「明示的フィードバック」とも呼ばれる）明示的チャネルフィードバックまたは（「暗黙的フィードバック」とも呼ばれる）暗黙的チャネルフィードバックに基づいてＣＳＩを報告し得る。明示的フィードバックの場合、ＵＥは、送信機または受信機空間処理を仮定することなしに、ＵＥによって観測された異なるセルについてのチャネル応答を示すＣＳＩを報告し得る。たとえば、明示的フィードバックのためのＣＳＩは、（ｉ）セルについてのチャネル応答を示すチャネル行列、または（ｉｉ）チャネル行列の特異値分解（singular value decomposition）を実行することによって取得された固有ベクトル（eigenvector）を備え得る。暗黙的フィードバックの場合、ＵＥは、異なるセルについてのチャネル応答に基づいて、場合によっては一定の送信機および／または受信機空間処理を仮定して決定されたＣＳＩを報告し得る。たとえば、暗黙的フィードバックのためのＣＳＩは、異なるセルについてのチャネル応答と受信信号品質とに基づいて決定されたＰＭＩ、ＲＩ、および／またはＣＱＩを備え得る。
【００５８】
したがって、様々な例では、複数の基地局から１つまたは複数のＵＥへの送信を協調させるために、ＣｏＭＰ方式が使用される。ＣｏＭＰ方式のいくつかの例は、（ｉ）複数のｅノードＢが、たとえば、ｅノードＢのすべてのアンテナにわたるジョイントプリコーディングベクトルを使用することによって、ＵＥのための同じデータを送信する、ジョイント送信、（ｉｉ）たとえば、１つのレイヤが１つのｅノードＢによって送られ、第２のレイヤが第２のｅノードＢによって送られる、ｅノードＢが異なるＭＩＭＯレイヤとしてＵＥのための異なるいくつかのデータを送信し、「分散多入力多出力（ＭＩＭＯ）」、および（ｉｉｉ）近隣セル中のＵＥへの干渉を低減するために選定されるビームを使用して、ｅノードＢがＵＥに送信する、協調ビームフォーミングである。
【００５９】
ＣｏＭＰは、同種ネットワークおよび／または異種ネットワーク（ＨｅｔＮｅｔ）中に存在し得る。ＣｏＭＰに関与するｅノードＢ間の接続は、Ｘ２（ある程度のレイテンシ、限られた帯域幅）、またはファイバー（より少ないレイテンシおよびより大きい帯域幅）であり得る。ＨｅｔＮｅｔ  ＣｏＭＰでは、低電力ｅノードＢはリモートラジオヘッド（ＲＲＨ）と呼ばれることがある。
【００６０】
ＣｏＭＰにおけるＵＥは、周期ＣＳＩ構成の２つ以上のセットを与えるように構成され得る。たとえば、ＵＥは、ＣｏＭＰに関与するセル１にセット１ＣＳＩ報告を与え、ＣｏＭＰに関与するセル２にセット２ＣＳＩ報告を与え、ＣｏＭＰに関与するセルＭにセットＭＣＳＩ報告を与え得るまで以下同様である。
【００６１】
時間領域ｅＩＣＩＣとＣｏＭＰとについて、周期ＣＳＩ報告構成の２つ以上のセットがある場合、２つ以上のセットの報告インスタンスは衝突し得る。本明細書で開示する様々な態様では、ＣＳＩ報告のセットは、優先度方式に従って優先度を付けられ、ただ１つのセットが報告される。本明細書で開示するいくつかの態様では、ＣＳＩ報告の２つ以上のセットが同時に報告される。
【００６２】
いくつかの態様では、ｅＩＣＩＣについての２つの構成セットが、セット１とセット２とについての重複するＣＳＩ報告インスタンスがある衝突を有する場合、ＵＥは、衝突処理方法を実行するように構成される。様々な態様では、セット１構成はｃｑｉ−ｐｍｉ−ＣｏｎｆｉｇＩｎｄｅｘ（ＣＱＩ／ＰＭＩの周期性／オフセット）とｒｉ−ＣｏｎｆｉｇＩｎｄｅｘ（ＲＩの周期性／オフセット）とであり、セット２構成はｃｑｉ−ｐｍｉ−ＣｏｎｆｉｇＩｎｄｅｘ２とｒｉ−ＣｏｎｆｉｇＩｎｄｅｘ２とである。
【００６３】
ｅＩＣＩＣまたはＣｏＭＰについての周期ＣＳＩ報告構成の２つ以上のセットがあり、２つ以上のセットの報告インスタンスが衝突するとき、ＵＥが衝突を処理する様々な代替方法がある。
【００６４】
ｅＩＣＩＣとＣｏＭＰとのために使用され得る第１の衝突処理方法は、いずれかのサブフレーム中でただ１つのセットを報告することである。周期ＣＳＩ報告の衝突するセットがある場合、サブフレーム中で報告されるべきセットは、優先度方式に従って決定される。優先度方式は、最初に各セットの報告モードまたはタイプに基づいてセット間に優先度を付ける。次いで、同じタイプをもつセット間でタイブレークするためにタイブレーカーが使用され、タイブレーカーは（たとえば、最低セットインデックスに基づいて）所定のセットを選び得るか、または無線リソース制御（ＲＲＣ）構成に基づいてセットが選択され得る。
【００６５】
キャリアアグリゲーションは、基地局１１０とＵＥ１２０とによって使用され得るさらなる技法である。いくつかのシステムでは、キャリアアグリゲーションは、ｅＩＣＩＣおよびＣｏＭＰなど、他の通信技法と組み合わせて使用され得る随意の特徴である。キャリアアグリゲーションの場合、基地局１１０およびＵＥ１２０は、たとえば、最高２０ＭＨｚ帯域幅を有し得るコンポーネントキャリア（ＣＣ）を使用して互いと通信する。コンポーネントキャリアはセルとしても知られ、セルはダウンリンクコンポーネントキャリアとアップリンクコンポーネントキャリアとを含む。１Ｇｂｐｓのデータレートをサポートするために、最高１００ＭＨｚの送信帯域幅が必要とされ得る。キャリアアグリゲーションは、送信のためにＣＣをアグリゲートすることを可能にする技法である。たとえば、２０ＭＨｚ帯域幅の５つのＣＣはそれぞれ、１００ＭＨｚの高帯域幅送信を達成するためにアグリゲートされ得る。アグリゲートされるＣＣは、同じまたは異なる帯域幅を有し得、同じ周波数帯域中の隣接ＣＣまたは非隣接ＣＣであり得、異なる周波数帯域中のＣＣであり得る。したがって、高帯域幅を達成することに加えて、キャリアアグリゲーションのための別のモチベーションは、断片化されたスペクトルの使用を可能にすることである。
【００６６】
送信のために５つのダウンリンクＣＣがアグリゲートされる例では、５つのダウンリンクＣＣの各々についてＣＳＩフィードバックが必要とされる。様々な態様では、アグリゲートされたダウンリンクＣＣのすべてについてのＣＳＩフィードバックは、単一のアップリンクＣＣ上でＵＥ１２０から基地局１１０に送信される。ＣＳＩフィードバックのためにアップリンクの各サブフレーム中に限られた量のスペースがある。基地局１１０は、ダウンリンクＣＣの各々についてのＣＳＩを報告する異なる周期性を指定し得る。様々な態様では、異なるダウンリンクＣＣについての２つ以上のＣＳＩ報告がアップリンクサブフレーム中で送信されるように競合している状況を最小限に抑えようと試みるために、各ダウンリンクＣＣについて、ＣＳＩを報告するための異なる周期性が構成される。２つ以上のＣＳＩ報告がアップリンクサブフレーム中で送信されるように競合しているそのような状況では、ＣＳＩ報告の衝突がある。
【００６７】
いくつかの態様では、２つ以上のダウンリンクＣＣについてのＣＳＩ報告は、キャリアアグリゲーションによりアップリンクサブフレームのために衝突し、ただ１つのＣＣがＵＥ１２０によって報告されるが、他のＣＣのすべてについての報告はドロップされる。そのような態様では、ＣＱＩ、ＰＭＩ、および／またはＲＩなどの情報を含む周期ＣＳＩは、１つのアップリンクサブフレーム中のただ１つのダウンリンクＣＣに制限され得る。ＣＳＩ報告の衝突がキャリアアグリゲーションにより生じた場合、ＣＳＩ報告が送信されることになるダウンリンクＣＣは、優先度方式に従って決定される。キャリアアグリゲーションによるＣＳＩ報告衝突のための優先度方式は、ＣＳＩ報告の報告モードまたはタイプに基づいてＣＣ間に優先度を付ける。
【００６８】
ＣＳＩ報告のタイプは以下のようであり得る。
【００６９】
タイプ１報告：ＵＥ選択サブバンドについてのＣＱＩフィードバックをサポートする。
【００７０】
タイプ１ａ報告：サブバンドＣＱＩおよび第２のＰＭＩフィードバックをサポートする。
【００７１】
タイプ２、２ｂ、および２ｃ報告：広帯域ＣＱＩおよびＰＭＩフィードバックをサポートする。
【００７２】
タイプ２ａ報告：広帯域ＰＭＩフィードバックをサポートする。
【００７３】
タイプ３報告：ＲＩフィードバックをサポートする。
【００７４】
タイプ４報告：広帯域ＣＱＩをサポートする。
【００７５】
タイプ５報告：ＲＩおよび広帯域ＰＭＩフィードバックをサポートする。
【００７６】
タイプ６報告：ＲＩおよびプリコーダタイプ指示（ＰＴＩ：Precoder Type Indication）フィードバックをサポートする。
【００７７】
キャリアアグリゲーションによる衝突するＣＳＩ報告のための優先度方式は、以下のようであり得る。（１）第１の優先度は、タイプ３、５、６、および２ａ報告など、ＲＩまたは広帯域の第１のＰＭＩを含んでいるＣＳＩ報告をもつダウンリンクＣＣに与えられ、（２）第２の優先度は、タイプ２、２ｂ、２ｃ、および４報告など、他の広帯域ＣＱＩおよび／またはＰＭＩ報告をもつダウンリンクＣＣに与えられ、（３）第３の優先度は、タイプ１および１ａ報告など、サブバンドＣＱＩ／ＰＭＩ報告をもつダウンリンクＣＣに与えられる。所与のサブフレームのためのタイブレーカーとして、同じ優先度のＰＵＣＣＨ報告タイプをもつ異なるサービングセルのＣＳＩ報告間の衝突の場合、最低セルインデックス（ＳｅｒｖＣｅｌｌＩｎｄｅｘ）をもつサービングセルのＣＳＩは優先度を付けられる。同じ優先度ルールは、ＰＵＳＣＨがない場合とＰＵＳＣＨがある場合の両方に適用される。
【００７８】
キャリアアグリゲーションにより衝突するＣＳＩ報告をもつダウンリンクＣＣに優先度を付けた後に、最高優先度をもつダウンリンクＣＣについてのＣＳＩ報告はサブフレーム中で送信され得るが、他のダウンリンクＣＣについてのＣＳＩ報告はドロップされる。また、送信されるべきＣＳＩ報告をもつダウンリンクＣＣの場合、同じ優先度付けプロシージャは、同じＣＣについてのＲＩ、広帯域ＣＱＩ／ＰＭＩ、および／またはサブバンドＣＱＩの間の衝突の場合に適用される。
【００７９】
キャリアアグリゲーションのための優先度方式では、同じ優先度のＰＵＣＣＨ報告タイプをもつ異なるサービングセルのＣＳＩ報告間の衝突の場合のサブフレームについてのタイブレーカーは、最低セルインデックスをもつサービングセルのＣＳＩを報告することである。そのようなタイブレーカーは、あるセットが別のセットよりも常に選好されるので、ｅＩＣＩＣまたはＣｏＭＰセットにとって問題になり得る。したがって、静的なタイブレーカールールを有する代わりに、動的なタイブレーカーが、ｅＩＣＩＣまたはＣｏＭＰについての衝突するセット間をタイブレークするために使用され得る。たとえば、動的タイブレーカーを用いて、異なるタイプのセットは、異なるサブフレームのためのタイブレークを獲得し得る。動的タイブレーカーは、異なるサブフレームのためのルールに従って変化することができる。一例では、動的タイブレーカーは上位レイヤからシグナリングされ、タイブレーカー基準は、サブフレームに基づいて指定され得る。動的タイブレーカーの場合、タイブレーキングルールが、異なるサブフレームについて変化することになるので、タイブレーカーにおいて、セットの１つのタイプが別のタイプよりも常に選好されるとは限らない。
【００８０】
セット間の優先度付けは、（キャリアアグリゲーションの場合のようにＣＣ優先度付けと同様に）半静的であり得るか、または動的であり得る。動的優先度付けを使用することは、地理的に共同設置されないセル間の改善された優先度付けを可能にし得る。ＣＳＩ報告の衝突するセット間に優先度を付けるために、ＵＥは動的優先度方式を使用し、その優先度方式の動的性質は、異なるタイプのセットが異なるサブフレームについてどのように優先度を付けられるかを変化させる。このようにして、動的優先度付け方式は、ＣＳＩ報告の異なるタイプのセットが、異なるサブフレームについて異なる優先度付けを有することを可能にする。
【００８１】
動的優先度付けの一例では、ｅノードＢは、上位レイヤを介して、異なるサブフレーム中で異なるＣＳＩ報告間の優先度を示すビットマップをシグナリングし得る。別の例では、ｅノードＢは、上位レイヤを介して、サブフレームインデックスに応じて異なるＣＳＩ報告間の優先度を生成するあらかじめ定義された擬似ランダムシーケンスに対する初期値をシグナリングし得る。
【００８２】
ｅＩＣＩＣおよびＣｏＭＰのために使用され得る第２の衝突処理方法は、衝突するサブフレーム中で２つ以上のセットを報告することである。一例では、ＵＥは、１つのサブフレーム中でＣＳＩの２つ以上のセットを報告するためにＰＵＣＣＨフォーマット３を利用する。ＰＵＣＣＨフォーマット３は、他のＰＵＣＣＨフォーマットよりも大きいペイロードをもつＰＵＣＣＨフォーマットのタイプである。ＰＵＣＣＨフォーマット３のより大きいペイロードは、１つのサブフレーム中でＣＳＩの２つ以上の報告に適応するためにＵＥによって使用され得る。したがって、あるサブフレームについてＣＳＩの２つ以上のセットの衝突があるとき、その２つ以上のセットは、ＰＵＣＣＨフォーマット３のより大きいペイロードを利用することによってそのサブフレーム中で報告される。
【００８３】
本開示による、サブフレーム中でＣＳＩの２つ以上のセットを報告する別の方法は、追加のセットを送るために、ＵＥにアップリンク中のＰＵＳＣＨを利用させることである。ＣＳＩの２つ以上のセットがサブフレーム中で報告され得るように、ＵＥは、サブフレームのＰＵＣＣＨ中でＣＳＩのセットを送信し、次いでそのサブフレームのＰＵＳＣＨ中でＣＳＩの１つまたは複数の追加のセットを送信する。２つのセットがあるｅＩＣＩＣの場合、衝突するセットがドロップされる必要がないように、ＣＳＩの一方のセットは、サブフレームについてのＰＵＣＣＨ中で報告され得、ＣＳＩの他方のセットはそのサブフレームについてのＰＵＳＣＨ中で報告され得る。
【００８４】
いくつかの態様では、並列ＰＵＣＣＨがサポートされ、衝突するＣＳＩの処理はＰＵＣＣＨごとに行われ得る。そのような態様では、並列ＰＵＣＣＨは、ＣＳＩのセットを送信するためにＵＥによって利用され得る。
【００８５】
いくつかの態様では、ＰＵＣＣＨとＰＵＳＣＨの両方は、ＣＳＩを送信するためにＵＥによって使用される。ＵＥは、優先度付け方式に従ってＣＳＩのセットに優先度を付け、サブフレームについてのＰＵＣＣＨ中で最も優先度の高いＣＳＩを送信し得る。次いで、サブフレームについてのＣＳＩの他の衝突するセットを自動的にドロップするのではなく、ＵＥは、サブフレームについてのＰＵＳＣＨ上のＣＳＩの他のセットをピギーバックすることができる。
【００８６】
キャリアアグリゲーションは、ｅＩＣＩＣおよび／またはＣｏＭＰ技法と組み合わせて使用され得る。ｅＩＣＩＣまたはＣｏＭＰと組み合わせてキャリアアグリゲーションを使用するとき、各ＣＣが周期ＣＳＩ報告構成の２つ以上のセットを有し得る２つ以上のＣＣがあり得る。ＵＥは、キャリアアグリゲーションについてのＣＳＩと、ｅＩＣＩＣまたはＣｏＭＰについてのＣＳＩとの相互作用を処理するための優先度付け方式を採用し得る。１つの例示的な優先度付け方式では、ＵＥは、最初にＣＣについてのｅＩＣＩＣまたはＣｏＭＰについてのＣＳＩのセットに優先度を付けるために各ＣＣ内で優先度付けを実行し、次いで、キャリアアグリゲーションについてのＣＳＩに優先度を付けるために異なるＣＣにわたって優先度付けを実行する。したがって、ＵＥは、各ＣＣ内で優先度付けを実行し、続いて異なるＣＣにわたって優先度付けを実行し得る。これにより、キャリアアグリゲーションとｅＩＣＩＣまたはＣｏＭＰとの間に相互作用があるときでもＣＳＩを処理することが可能になる。
【００８７】
図６は、一態様による方法のフローチャートである。図２および図６を参照すると、ステップ１０において、ＵＥ１２０は、周期ＣＳＩ報告の２つ以上のセットがサブフレームについて衝突することを決定し、ステップ１１において、ＵＥ１２０は、動的な優先度付け方式に従って２つ以上のセット間に優先度を付ける。
【００８８】
図７は、一態様による方法のフローチャートである。図２および図７を参照すると、ステップ２０において、ＵＥ１２０は、周期ＣＳＩ報告の２つ以上のセットがサブフレームについて衝突することを決定し、ステップ２１において、ＵＥ１２０は、送信のための２つ以上のセットに適応するのに十分に大きいペイロードを有するＰＵＣＣＨフォーマット３を利用することによってサブフレーム中で２つ以上のセットを報告する。
【００８９】
図８は、一態様による方法のフローチャートである。図２および図８を参照すると、ステップ３０において、ＵＥ１２０は、周期ＣＳＩ報告の２つ以上のセットがサブフレームについて衝突することを決定し、ステップ３１において、ＵＥ１２０は、サブフレームについてのＰＵＣＣＨ中で２つ以上のセットのうちの少なくとも１つを報告し、ステップ３２において、ＵＥ１２０は、サブフレームについてのＰＵＳＣＨ中で２つ以上のセットのうちの少なくとも１つの他のセットを報告する。
【００９０】
図９は、一態様による方法のフローチャートである。図２および図９を参照すると、ステップ４０において、ＵＥ１２０は、周期ＣＳＩ報告の２つ以上のセットがサブフレームについて衝突することを決定し、ステップ４１において、ＵＥ１２０は、並列物理アップリンク制御チャネルを使用して２つ以上のセットを報告する。
【００９１】
図１０は、一態様による方法のフローチャートである。図２および図１０を参照すると、ステップ５０において、ＵＥ１２０は、ＣＣ内の周期ＣＳＩ報告の衝突があることと、２つ以上のＣＣについてのＣＳＩ報告の衝突があることとを決定し、ステップ５１において、ＵＥ１２０は各ＣＣ内のＣＳＩ報告の優先度付けを実行し、ステップ５２において、ＵＥ１２０は、異なるＣＣについてのＣＳＩ報告の優先度付けを実行する。
【００９２】
図１１は、一態様による方法のフローチャートである。図２および図１１を参照すると、ステップ６０において、ＵＥ１２０はそれぞれ、第１の基地局と第２の基地局とに対応する少なくとも第１のＣＳＩ報告構成と第２のＣＳＩ報告構成とを受信する。ステップ６１において、ＵＥ１２０は、第１のＣＳＩ報告構成と第２のＣＳＩ報告構成とに基づいてＣＳＩ報告中の衝突を決定する。ステップ６２において、ＵＥ１２０は、衝突があるとき、第１の基地局と第２の基地局とについてのＣＳＩ間に優先度を付ける。ステップ６３において、ＵＥ１２０は、優先度付けの結果に基づいてＣＳＩ報告を送る。
【００９３】
いくつかの態様では、第１の基地局と第２の基地局とによる送信は、複数のダウンリンクコンポーネントキャリア上での送信を備える。いくつかの態様では、優先度付けは、複数のコンポーネントキャリア間の優先度付けと基地局間の優先度付けとを備える。いくつかの態様では、第１の基地局と第２の基地局とは、ユーザ機器のＣｏＭＰ測定セットを備える。いくつかの態様では、優先度付けは、第１の基地局または第２の基地局に関連するＣＳＩをドロップすることを備える。いくつかの態様では、ＣＳＩ報告を送ることは、ＰＵＣＣＨ上で第１のＣＳＩ報告を送ることと、ＰＵＳＣＨ上で第２のＣＳＩ報告を送ることとを備える。いくつかの態様では、送ることは、ＣＳＩ報告をサービング基地局に送ることを備える。
【００９４】
いくつかの態様では、第１の周期ＣＳＩ構成は第１の基地局に関連し、第２の周期ＣＳＩ構成は第２の基地局に関連する。そのような態様では、これらの構成は衝突を生じることがある。いくつかの態様では、基地局レベルの優先度付けがあり得、ＣＳＩ報告はその結果に基づいて送られ得る。いくつかの態様では、キャリアアグリゲーションと複数の基地局とがあるとき、ＣＳＩ報告に優先度を付けるときに、基地局についての報告セット間の優先度付けと各セット中のＣＣ間の優先度付けとがある。いくつかの態様では、第１の基地局と第２の基地局とはＣｏＭＰ報告セットに属する。
【００９５】
いくつかの態様では、ＵＥが各サブフレームについて異なる優先度付け方式を適用することができるように、動的優先度付けは、１ｍｓ間隔においてサブフレームのレベルで行われる。いくつかの態様では、半静的優先度付け方式は、基地局がその方式を指定するためにＲＲＣをＵＥに送るときに変化し、それは数百ミリ秒程度で行われ得る。したがって、動的優先度付け方式は、半静的優先度付け方式よりも迅速に変化し得る。
【００９６】
図１２は、本開示によるＣＳＩ報告優先度付けのさらなる態様を示すフローチャートである。ブロック１２００において、ＵＥは、ｅＩＣＩＣまたはＣｏＭＰ送信とともに利用される第１のＣＣに関して、少なくとも第１の報告セットと第２の報告セットとについてのＣＳＩ報告構成を決定する。ブロック１２０１において、ＵＥは、第１のＣＳＩ報告セットと第２のＣＳＩ報告セットとの各々が第１のＣＣについての複数のＣＳＩ報告タイプを含む、第１のＣＳＩ報告セット内の２つ以上のＣＳＩ報告の衝突を検出する。ＵＥは、ブロック１２０２において、第１のＣＣ中の第１のセットの衝突するＣＳＩ報告のＣＳＩ報告タイプに少なくとも部分的に基づいて、報告タイプ優先度付けを実行する。ブロック１２０３において、第１のＣＣについての第１のＣＳＩ報告セットと第２のＣＳＩ報告セットとの優先ＣＳＩ報告間にＣＳＩ報告の衝突があるという決定を行う。セット間の衝突に応答して、ブロック１２０４において、ＵＥは、第１のＣＳＩ報告セットと第２のＣＳＩ報告セットとのセット優先度付けを実行する。
【００９７】
図１２に示すように、本開示の態様を実装する際に、ＵＥは、ＣＳＩ報告セットのうちの１つ内のＣＳＩ報告衝突だけでなく、別のＣＳＩ報告セット中での送信のために識別されたＣＳＩ報告をもつ別の衝突に直面する。また、他のＣＳＩ報告セット中での送信のために識別されたＣＳＩ報告内に衝突が生じ得る。これらの衝突の各々は、前の衝突解決問題とは異なり、単一のＣＣ内に生じる。図１２に示すように、ＵＥは、報告タイプ優先度付けを通して第１のＣＳＩ報告セット内の衝突を解決し、それは本明細書で開示する優先度付け方式のいずれかに従って行われ得る。第１のセットについての優先ＣＳＩ報告が決定されると、ＵＥは、再び、同じＣＣ内でそれぞれ、その優先ＣＳＩ報告と他のＣＳＩ報告セットのためにスケジュールされた潜在的に別の優先ＣＳＩ報告との間の衝突を解決することになる。セット優先度付けは、本明細書で説明する様々な優先度付け方式をも使用し得る。
【００９８】
図１３は、ＣＳＩ報告衝突を検出し、本開示による報告優先度付けを実行するための例示的なブロックを示す機能ブロック図である。図１３に示す例は、ＣＳＩ報告タイプの様々なセットのためにスケジュールされた複数のＣＣを含む。ＵＥが行う初期プロセスは、図１２に示した例示的なブロックに準拠する。ブロック１２０４のセット優先度付けによってセット衝突を解決した後に、ブロック１３００において、ＵＥはさらに、第１のＣＣと他のＣＣとに関してＣＳＩ報告のマルチキャリア衝突があることを決定する。そのようなマルチキャリア衝突に応答して、ブロック１３０１において、ＵＥは、第１のＣＣ優先ＣＳＩ報告と第２のＣＣ優先ＣＳＩ報告とのマルチキャリア優先度付けを実行する。したがって、複数のＣＣはそれぞれ、各ＣＣに指定された複数のＣＳＩ報告セットを有し得る。ＵＥは、最初に各ＣＳＩ報告セット内の衝突を解決することと、次いで、衝突するＣＳＩ報告セットの優先ＣＳＩ報告間の衝突を解決することとによって、衝突を系統的に解決し、次いで、検出すると、複数のキャリアのためにスケジュールされた優先ＣＳＩ報告間の衝突を解決する。
【００９９】
図１４は、本開示の一態様に従って構成されたＵＥ１２０を示すブロック図である。また図２に示したように、ＵＥ１２０はコントローラ／プロセッサ４８０を含む。コントローラ／プロセッサ４８０は、構成要素を制御し、ＵＥ１２０の機能および特徴を実装する様々なソフトウェア、ファームウェア、または他の論理を実行する。ソフトウェア、ファームウェア、または他の論理は、コントローラ／プロセッサ４８０に結合されたメモリ４８２などのメモリに記憶され得る。コントローラ／プロセッサ４８０は、ＣＳＩ測定値プロセス１４００を実行するために、メモリ４８２にアクセスする。ＣＳＩ測定値プロセス１４００を実行することは、特定のＣＣに関係する複数のＣＳＩ報告セットについてのＣＳＩ報告構成を決定するための情報を与える。これらの構成要素と行為との組合せは、ｅＩＣＩＣまたはＣｏＭＰ送信とともに利用される第１のＣＣに関して、少なくとも第１のＣＳＩ報告セットと第２のＣＳＩ報告セットとについてのＣＳＩ報告構成を決定するための手段を与え得る。
【０１００】
復調器／変調器ならびにアンテナ４５４ａ〜ｒおよび４５２ａ〜ｒを介して受信される信号は、受信プロセッサ４５８を使用して分析され、そのような信号／チャネル品質に関するＣＳＩ報告は、信号解析を通して検出された測定値に基づいて、メモリ４８２に記憶されたＣＳＩ報告生成器１４０１を実行するコントローラ／プロセッサ４８０を用いて生成される。報告構成を通して決定されるＣＳＩ報告スケジューリングに基づいて、コントローラ／プロセッサ４８０は、複数のＣＳＩ報告が同時送信のためにスケジュールされるときを検出し得る。これらの構成要素と行為との組合せは、第１のＣＳＩ報告セット内の２つ以上のＣＳＩ報告の衝突を検出するための手段であって、第１のＣＳＩ報告セットと第２のＣＳＩ報告セットとの各々が第１のＣＣについての複数のＣＳＩ報告タイプを含む、検出するための手段を与え得る。
【０１０１】
ＣＳＩ報告の衝突が、ＣＣについての第１のＣＳＩ報告セットについて識別された場合、コントローラ／プロセッサ４８０は、衝突を解決するために、メモリ４８２に記憶されたＣＳＩ報告優先度付け方式１４０２にアクセスする。ＣＳＩ報告優先度付け方式１４０２は、本明細書で開示する様々な優先度付け方式を含み得る。これらの構成要素と行為との組合せは、第１のＣＳＩ報告セットの衝突する２つ以上のＣＳＩ報告のＣＳＩ報告タイプに少なくとも部分的に基づいて報告タイプ優先度付けを実行するための手段を与え得る。
【０１０２】
報告構成を通して決定されるＣＳＩ報告スケジューリングはまた、コントローラ／プロセッサ４８０が、複数のＣＳＩ報告セットについてのＣＳＩ報告が同じＣＣ上での同時送信のためにスケジュールされるときを検出することを可能にし得る。これらの構成要素と行為との組合せは、第１のＣＳＩ報告セットの第１の優先ＣＳＩ報告と第２のＣＳＩ報告セットの第２の優先ＣＳＩ報告とに関するＣＳＩ報告のセット衝突があることを決定するための手段を与え得る。
【０１０３】
ＣＳＩ報告のセット衝突が、同じＣＣについての第１のＣＳＩ報告セットと第２のＣＳＩ報告セットとについて識別された場合、コントローラ／プロセッサ４８０は、衝突を解決するために、メモリ４８２に記憶されたＣＳＩ報告優先度付け方式１４０２にアクセスする。ＣＳＩ報告優先度付け方式１４０２は、本明細書で開示する様々な優先度付け方式を含み得る。優先ＣＳＩ報告は、次いでコントローラ／プロセッサ４８０の制御下で、送信プロセッサ４５４と復調器／変調器ならびにアンテナ４５４ａ〜ｒおよび４５２ａ〜ｒとによって送信され得る。これらの構成要素と行為との組合せは、第１のＣＳＩ報告セットと第２のＣＳＩ報告セットとのセット優先度付けを実行するための手段を与え得る。
【０１０４】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０５】
さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【０１０６】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０７】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。いくつかの態様では、プロセッサおよび記憶媒体は、ユーザ端末中に個別構成要素として常駐し得る。
【０１０８】
１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとして非一時的コンピュータ可読記憶媒体上に記憶され得る。記憶媒体は、汎用または専用コンピュータまたはプロセッサによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０９】
上記の開示は、例示的な態様について論じたが、様々な変更および改変を本明細書で行い得、態様は例示的であることに留意されたい。さらに、任意の態様の全部または一部は、別段に記載されていない限り、任意の他の態様の全部または一部とともに利用され得る。
以下に、本願の当初の特許請求の範囲に記載された発明を付記する。
［１］
ワイヤレスネットワークにおける拡張セル間干渉協調（ｅＩＣＩＣ）または多地点協調（ＣｏＭＰ）送信のうちの少なくとも１つのために構成されたユーザ機器（ＵＥ）によって実行される方法であって、前記方法は、
前記ｅＩＣＩＣまたは前記ＣｏＭＰ送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定することと、
前記第１のＣＳＩ報告セット内の２つ以上のＣＳＩ報告の衝突を検出すること、前記第１のＣＳＩ報告セットと前記第２のＣＳＩ報告セットとの各々が前記第１のＣＣについての複数のＣＳＩ報告タイプを含む、と、
前記第１のＣＳＩ報告セットの前記衝突する２つ以上のＣＳＩ報告のＣＳＩ報告タイプに少なくとも部分的に基づいて報告タイプ優先度付けを実行することと、
前記第１のＣＳＩ報告セットの第１の優先ＣＳＩ報告と前記第２のＣＳＩ報告セットの第２のＣＳＩ報告とに関するＣＳＩ報告のセット衝突があることを決定することと、
前記第１のＣＳＩ報告セットと前記第２のＣＳＩ報告セットとのセット優先度付けを実行することと
を備える、方法。
［２］
前記第１のＣＳＩ報告セットと前記第２のＣＳＩ報告セットとが、前記第１のＣＣについてのｅＩＣＩＣ測定値サブフレームのセットに対応するＣＳＩ報告を備える、［１］に記載の方法。
［３］
前記第１のＣＳＩ報告セットと前記第２のＣＳＩ報告セットとが前記ＣｏＭＰ送信についてのＣＳＩ報告を備える、［１］に記載の方法。
［４］
前記報告タイプ優先度付けが、
ランクインジケータ（ＲＩ）報告または広帯域プリコーディング行列インジケータ（ＰＭＩ）報告のうちの一方に対する第１の優先度と、
広帯域チャネル品質インジケータ（ＣＱＩ）報告またはＰＭＩ報告のうちの一方に対する第２の優先度と、
サブバンドＣＱＩ報告またはサブバンドＰＭＩ報告のうちの一方に対する第３の優先度と
を備える、［１］に記載の方法。
［５］
前記セット優先度付けが、前記第１の優先ＣＳＩ報告と第２の優先ＣＳＩ報告との前記報告タイプ優先度付けに基づく、［１］に記載の方法。
［６］
前記セット優先度付けのためのタイブレーカーが、
最低セットインデックスを有するＣＳＩ報告セットに対する第１の優先度と、
次の最低セットインデックスを有する次のＣＳＩ報告セットに対する次の優先度と
を備える、［１］に記載の方法。
［７］
前記セット優先度付けのためのタイブレーカーは、前記セット衝突が異なるサブフレームについて別様に解決されるような前記異なるサブフレームについて変化する、［１］に記載の方法。
［８］
前記セット優先度付けのためのタイブレーカーは、前記第１のセットと前記第２のセットとからの２つのＣＳＩ報告が同じセット優先度付けレベルを有するとき、前記第１のＣＳＩ報告セットと前記第２のＣＳＩ報告セットとのうちの一方が異なるサブフレーム中で選好されるような前記異なるサブフレームについて動的に変化する、［１］に記載の方法。
［９］
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、［１］に記載の方法。
［１０］
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、［１］に記載の方法。
［１１］
第１のＣＳＩ報告セット優先ＣＳＩ報告と第２のＣＳＩ報告セット優先ＣＳＩ報告とに適応するのに十分大きいペイロードを有する物理アップリンク制御チャネル（ＰＵＣＣＨ）フォーマット３を利用することによって、サブフレーム中で前記第１のセット優先ＣＳＩ報告と前記第２のセット優先ＣＳＩ報告とを送信すること
をさらに備える、［１］に記載の方法。
［１２］
並列物理アップリンク制御チャネル（ＰＵＣＣＨ）を利用することによってサブフレーム中で前記第１のＣＳＩ報告セット優先ＣＳＩ報告と前記第２のＣＳＩ報告セット優先ＣＳＩ報告とを送信すること
をさらに備える、［１］に記載の方法。
［１３］
前記第１のＣＣと第２のＣＣとに関するＣＳＩ報告のマルチキャリア衝突があることを決定することと、
前記第１のＣＣと前記第２のＣＣとについてのＣＳＩ報告のマルチキャリア優先度付けを実行することと
をさらに備える、［１］に記載の方法。
［１４］
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度と
を備える、［１３］に記載の方法。
［１５］
前記マルチキャリア優先度付けが、前記第１のＣＣと前記第２のＣＣとの各々からの１つまたは複数の優先ＣＳＩ報告の前記報告タイプ優先度付けに基づく、［１３］に記載の方法。
［１６］
前記第１のＣＣと前記第２のＣＣとが、前記ＵＥによってキャリアアグリゲーション（ＣＡ）のために構成された、［１３］に記載の方法。
［１７］
セット優先度付けとマルチキャリア優先度付けとの後の最も優先度の高いＣＳＩ報告セットの第１の優先ＣＳＩ報告がサブフレーム中で送信され、より優先度の低いＣＳＩ報告セットとより優先度の低いＣＣとのいずれかの優先ＣＳＩ報告がドロップされる、［１３］に記載の方法。
［１８］
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、［１３］に記載の方法。
［１９］
１つまたは複数のＣＣの各々についての１つまたは複数のＣＳＩ報告セットについての１つまたは複数の優先ＣＳＩ報告に適応するのに十分に大きいペイロードを有する物理アップリンク制御チャネル（ＰＵＣＣＨ）フォーマット３を利用することによって、サブフレーム中で前記１つまたは複数の優先ＣＳＩ報告を送信すること
をさらに備える、［１３］に記載の方法。
［２０］
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信すること
をさらに備える、［１３］に記載の方法。
［２１］
ワイヤレスネットワークにおける拡張セル間干渉協調（ｅＩＣＩＣ）または多地点協調（ＣｏＭＰ）送信のうちの少なくとも１つのために構成されたユーザ機器（ＵＥ）装置であって、前記装置は、
前記ｅＩＣＩＣまたは前記ＣｏＭＰ送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定するための手段と、
前記第１のＣＳＩ報告セット内の２つ以上のＣＳＩ報告の衝突を検出するための手段、
前記第１のＣＳＩ報告セットと前記第２のＣＳＩ報告セットとの各々が前記第１のＣＣについての複数のＣＳＩ報告タイプを含む、と、
前記第１のＣＳＩ報告セットの前記衝突する２つ以上のＣＳＩ報告のＣＳＩ報告タイプに少なくとも部分的に基づいて報告タイプ優先度付けを実行するための手段と、
前記第１のＣＳＩ報告セットの第１の優先ＣＳＩ報告と前記第２のＣＳＩ報告セットの第２のＣＳＩ報告とに関するＣＳＩ報告のセット衝突があることを決定するための手段と、
前記第１のＣＳＩ報告セットと前記第２のＣＳＩ報告セットとのセット優先度付けを実
行するための手段と
を備える、装置。
［２２］
前記第１のＣＳＩ報告セットと前記第２のＣＳＩ報告セットとが、前記第１のＣＣについてのｅＩＣＩＣ測定値サブフレームのセットに対応するＣＳＩ報告を備える、［２１］に記載の装置。
［２３］
前記第１のＣＳＩ報告セットと前記第２のＣＳＩ報告セットとが前記ＣｏＭＰ送信についてのＣＳＩ報告を備える、［２１］に記載の装置。
［２４］
前記報告タイプ優先度付けが、
ランクインジケータ（ＲＩ）報告または広帯域プリコーディング行列インジケータ（ＰＭＩ）報告のうちの一方に対する第１の優先度と、
広帯域チャネル品質インジケータ（ＣＱＩ）報告またはＰＭＩ報告のうちの一方に対する第２の優先度と、
サブバンドＣＱＩ報告またはサブバンドＰＭＩ報告のうちの一方に対する第３の優先度と
を備える、［２１］に記載の装置。
［２５］
前記セット優先度付けが、前記第１の優先ＣＳＩ報告と第２の優先ＣＳＩ報告との前記報告タイプ優先度付けに基づく、［２１］に記載の装置。
［２６］
前記セット優先度付けのためのタイブレーカーが、
最低セットインデックスを有するＣＳＩ報告セットに対する第１の優先度と、
次の最低セットインデックスを有する次のＣＳＩ報告セットに対する次の優先度とを備える、［２１］に記載の装置。
［２７］
前記セット優先度付けのためのタイブレーカーは、前記セット衝突が異なるサブフレームについて別様に解決されるような前記異なるサブフレームについて変化する、［２１］に記載の装置。
［２８］
前記セット優先度付けのためのタイブレーカーは、前記第１のセットと前記第２のセットとからの２つのＣＳＩ報告が同じセット優先度付けレベルを有するとき、前記第１のＣＳＩ報告セットと前記第２のＣＳＩ報告セットとのうちの一方が異なるサブフレーム中で選好されるような前記異なるサブフレームについて動的に変化する、［２１］に記載の装置。
［２９］
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、［２１］に記載の装置。
［３０］
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、［２１］に記載の装置。
［３１］
第１のＣＳＩ報告セット優先ＣＳＩ報告と第２のＣＳＩ報告セット優先ＣＳＩ報告とに適応するのに十分大きいペイロードを有する物理アップリンク制御チャネル（ＰＵＣＣＨ）フォーマット３を利用することによって、サブフレーム中で前記第１のセット優先ＣＳＩ報告と前記第２のセット優先ＣＳＩ報告とを送信するための手段
をさらに備える、［２１］に記載の装置。
［３２］
並列物理アップリンク制御チャネル（ＰＵＣＣＨ）を利用することによってサブフレーム中で前記第１のＣＳＩ報告セット優先ＣＳＩ報告と前記第２のＣＳＩ報告セット優先ＣＳＩ報告とを送信するための手段
をさらに備える、［２１］に記載の装置。
［３３］
前記第１のＣＣと第２のＣＣとに関するＣＳＩ報告のマルチキャリア衝突があることを決定するための手段と、
前記第１のＣＣ  ＣＳＩ報告と前記第２のＣＣ  ＣＳＩ報告とについてのＣＳＩ報告マルチキャリア優先度付けを実行するための手段と
をさらに備える、［２１］に記載の装置。
［３４］
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度と
を備える、［３３］に記載の装置。
［３５］
前記第１のＣＣと前記第２のＣＣとが、前記ＵＥによってキャリアアグリゲーション（ＣＡ）のために構成された、［３３］に記載の装置。
［３６］
セット優先度付けとマルチキャリア優先度付けとの後の最も優先度の高いＣＳＩ報告セットの第１の優先ＣＳＩ報告がサブフレーム中で送信され、より優先度の低いＣＳＩ報告セットとより優先度の低いＣＣとのいずれかの優先ＣＳＩ報告がドロップされる、［３３］に記載の装置。
［３７］
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、［３３］に記載
の装置。
［３８］
１つまたは複数のＣＣの各々についての１つまたは複数のＣＳＩ報告セットについての１つまたは複数の優先ＣＳＩ報告に適応するのに十分に大きいペイロードを有する物理アップリンク制御チャネル（ＰＵＣＣＨ）フォーマット３を利用することによって、サブフレーム中で前記１つまたは複数の優先ＣＳＩ報告を送信するための手段
をさらに備える、［３３］に記載の装置。
［３９］
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信するための手段
をさらに備える、［３３］に記載の装置。
［４０］
少なくとも１つのプロセッサと、
前記少なくとも１つのプロセッサに結合されたメモリと
を備える装置であって、
前記少なくとも１つのプロセッサは、
拡張セル間干渉協調（ｅＩＣＩＣ）または多地点協調（ＣｏＭＰ）送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定することと、
前記第１のＣＳＩ報告セット内の２つ以上のＣＳＩ報告の衝突を検出すること、前記第１のＣＳＩ報告セットと前記第２のＣＳＩ報告セットとの各々が前記第１のＣＣについての複数のＣＳＩ報告タイプを含む、と、
前記第１のＣＳＩ報告セットの前記衝突する２つ以上のＣＳＩ報告のＣＳＩ報告タイプに少なくとも部分的に基づいて報告タイプ優先度付けを実行することと、
前記第１のＣＳＩ報告セットの第１の優先ＣＳＩ報告と前記第２のＣＳＩ報告セットの第２のＣＳＩ報告とに関するＣＳＩ報告のセット衝突があることを決定することと、
前記第１のＣＳＩ報告セットと前記第２のＣＳＩ報告セットとのセット優先度付け
を実行することと
を行うように構成された、装置。
［４１］
前記第１のＣＳＩ報告セットと前記第２のＣＳＩ報告セットとが、前記第１のＣＣについてのｅＩＣＩＣ測定値サブフレームのセットに対応するＣＳＩ報告を備える、［４０］に記載の装置。
［４２］
前記第１のＣＳＩ報告セットと前記第２のＣＳＩ報告セットとが前記ＣｏＭＰ送信についてのＣＳＩ報告を備える、［４０］に記載の装置。
［４３］
前記セット優先度付けのためのタイブレーカーが、
最低セットインデックスを有するＣＳＩ報告セットに対する第１の優先度と、
次の最低セットインデックスを有する次のＣＳＩ報告セットに対する次の優先度と
を備える、［４０］に記載の装置。
［４４］
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、［４０］に記載の装置。
［４５］
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、［４０］に記載の装置。
［４６］
前記少なくとも１つのプロセッサが、
第１のＣＳＩ報告セット優先ＣＳＩ報告と第２のＣＳＩ報告セット優先ＣＳＩ報告とに適応するのに十分大きいペイロードを有する物理アップリンク制御チャネル（ＰＵＣＣＨ）フォーマット３を利用することによって、サブフレーム中で前記第１のセット優先ＣＳＩ報告と前記第２のセット優先ＣＳＩ報告とを送信すること
を行うようにさらに構成された、［４０］に記載の装置。
［４７］
前記少なくとも１つのプロセッサが、
並列物理アップリンク制御チャネル（ＰＵＣＣＨ）を利用することによってサブフレーム中で前記第１のＣＳＩ報告セット優先ＣＳＩ報告と前記第２のＣＳＩ報告セット優先ＣＳＩ報告とを送信すること
を行うようにさらに構成された、［４０］に記載の装置。
［４８］
前記少なくとも１つのプロセッサが、
前記第１のＣＣと第２のＣＣとに関するＣＳＩ報告のマルチキャリア衝突があることを決定することと、
前記第１のＣＣ  ＣＳＩ報告と前記第２のＣＣ  ＣＳＩ報告とのマルチキャリア優先度付けを実行することと
を行うようにさらに構成された、［４０］に記載の装置。
［４９］
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度と
を備える、［４８］に記載の装置。
［５０］
前記第１のＣＣと前記第２のＣＣとが、前記ＵＥによってキャリアアグリゲーション（ＣＡ）のために構成された、［４８］に記載の装置。
［５１］
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、［４８］に記載の装置。
［５２］
前記少なくとも１つのプロセッサが、
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信すること
を行うようにさらに構成された、［４８］に記載の装置。
［５３］
コンピュータに、
拡張セル間干渉協調（ｅＩＣＩＣ）または多地点協調（ＣｏＭＰ）送信とともに利用される第１のコンポーネントキャリア（ＣＣ）に関して、少なくとも第１のチャネル状態情報（ＣＳＩ）報告セットと第２のＣＳＩ報告セットとについてのＣＳＩ報告構成を決定することと、
前記第１のＣＳＩ報告セット内の２つ以上のＣＳＩ報告の衝突を検出すること、前記第１のＣＳＩ報告セットと前記第２のＣＳＩ報告セットとの各々が前記第１のＣＣについての複数のＣＳＩ報告タイプを含む、と、
前記第１のＣＳＩ報告セットの前記衝突する２つ以上のＣＳＩ報告のＣＳＩ報告タイプに少なくとも部分的に基づいて報告タイプ優先度付けを実行することと、
前記第１のＣＳＩ報告セットの第１の優先ＣＳＩ報告と前記第２のＣＳＩ報告セットの第２のＣＳＩ報告とに関するＣＳＩ報告のセット衝突があることを決定することと、
前記第１のＣＳＩ報告セットと前記第２のＣＳＩ報告セットとのセット優先度付けを実行することと
を行わせるためのコード
を備える非一時的コンピュータ可読記憶媒体。
［５４］
前記第１のＣＳＩ報告セットと前記第２のＣＳＩ報告セットとが、前記第１のＣＣについてのｅＩＣＩＣ測定値サブフレームのセットに対応するＣＳＩ報告を備える、［５３］に記載の非一時的コンピュータ可読記憶媒体。
［５５］
前記第１のＣＳＩ報告セットと前記第２のＣＳＩ報告セットとが前記ＣｏＭＰ送信についてのＣＳＩ報告を備える、［５３］に記載の非一時的コンピュータ可読記憶媒体。
［５６］
前記セット優先度付けのためのタイブレーカーが、
最低セットインデックスを有するＣＳＩ報告セットに対する第１の優先度と、
次の最低セットインデックスを有する次のＣＳＩ報告セットに対する次の優先度とを備える、［５３］に記載の非一時的コンピュータ可読記憶媒体。
［５７］
セット優先度付けの後の最も優先度の高いＣＳＩ報告セットの第１の優先ＣＳＩ報告がサブフレーム中で送信され、いずれかのより優先度の低いＣＳＩ報告セットのいずれかの優先ＣＳＩ報告がドロップされる、［５３］に記載の非一時的コンピュータ可読記憶媒体。
［５８］
セット優先度付けの後の最も優先度の高いＣＳＩ報告セットの第１の優先ＣＳＩ報告が、サブフレームのための物理アップリンク制御チャネル（ＰＵＣＣＨ）中で送信され、セット優先度付けの後の１つまたは複数のより優先度の低いＣＳＩ報告セットの１つまたは複数の優先ＣＳＩ報告が、前記サブフレームのための物理アップリンク共有チャネル（ＰＵＳＣＨ）上での送信のためにピギーバックされる、［５３］に記載の非一時的コンピュータ可読記憶媒体。
［５９］
コンピュータに、
並列物理アップリンク制御チャネル（ＰＵＣＣＨ）を利用することによってサブフレーム中で前記第１のＣＳＩ報告セット優先ＣＳＩ報告と前記第２のＣＳＩ報告セット優先ＣＳＩ報告とを送信すること
を行わせるためのコードをさらに備える、［５３］に記載の非一時的コンピュータ可読記憶媒体。
［６０］
コンピュータに、
前記第１のＣＣと第２のＣＣとに関するＣＳＩ報告のマルチキャリア衝突があることを決定することと、
前記第１のＣＣ  ＣＳＩ報告と前記第２のＣＣ  ＣＳＩ報告とについてのＣＳＩ報告のマルチキャリア優先度付けを実行することと
を行わせるためのコードをさらに備える、［５３］に記載の非一時的コンピュータ可読記憶媒体。
［６１］
ＣＳＩ報告の前記マルチキャリア優先度付けが、
最低ＣＣインデックスを有する第１のＣＣに対する第１の優先度と、
次の最低ＣＣインデックスを有する次のＣＣに対する次の優先度と
を備える、［６０］に記載の非一時的コンピュータ可読記憶媒体。
［６２］
前記第１のＣＣと前記第２のＣＣとが、前記ＵＥによってキャリアアグリゲーション（ＣＡ）のために構成された、［６０］に記載の非一時的コンピュータ可読記憶媒体。
［６３］
セット優先度付けとマルチキャリア優先度付けとの後の最も優先度の高いＣＳＩ報告セットの第１の優先ＣＳＩ報告が、サブフレームのための物理アップリンク制御チャネル（ＰＵＣＣＨ）中で送信され、セット優先度付けとマルチキャリア優先度付けとの後の１つまたは複数のより優先度の低いＣＳＩ報告セットと１つまたは複数のより優先度の低いＣＣとの１つまたは複数の優先ＣＳＩ報告が、前記サブフレームのための物理アップリンク共有チャネル（ＰＵＳＣＨ）上での送信のためにピギーバックされる、［６０］に記載の非一時的コンピュータ可読記憶媒体。
［６４］
コンピュータに、
１つまたは複数のＣＣの各々についての１つまたは複数のＣＳＩ報告セットについての１つまたは複数の優先ＣＳＩ報告に適応するのに十分に大きいペイロードを有する物理アップリンク制御チャネル（ＰＵＣＣＨ）フォーマット３を利用することによって、サブフレーム中で前記１つまたは複数の優先ＣＳＩ報告を送信すること
を行わせるためのコードをさらに備える、［６０］に記載の非一時的コンピュータ可読記憶媒体。
［６５］
コンピュータに、
並列物理アップリンク制御チャネル（ＰＵＣＣＨ）を利用することによって、サブフレーム中で１つまたは複数のＣＣの各々についての１つまたは複数のＣＳＩ報告セットについての１つまたは複数の優先ＣＳＩ報告を送信すること
を行わせるためのコードをさらに備える、［６０］に記載の非一時的コンピュータ可読記憶媒体。
【図１】
0005840798.tif 000002
【図２】
0005840798.tif 000003
【図３】
0005840798.tif 000004
【図４】
0005840798.tif 000005
【図５】
0005840798.tif 000006
【図６】
0005840798.tif 000007
【図７】
0005840798.tif 000008
【図８】
0005840798.tif 000009
【図９】
0005840798.tif 000010
【図１０】
0005840798.tif 000011
【図１１】
0005840798.tif 000012
【図１２】
0005840798.tif 000013
【図１３】
0005840798.tif 000014
【図１４】
0005840798.tif 000015